(57)【要約】  本明細書の態様は、スロット中でアップリンク通信を送信するためのチャネルフォーマットを決定することと、ここにおいて、チャネルフォーマットは、アップリンク通信のペイロードサイズに少なくとも部分的に基づいて、複数のチャネルフォーマットから選択され、アップリンク通信を送信するためのスロットのアップリンクチャネル持続期間の開始シンボルおよび終了シンボルを決定することと、開始シンボルおよび終了シンボルに少なくとも部分的に基づいて、スロット中でアップリンク通信を送信する際に利用するためのチャネルフォーマットの一部分を決定することと、スロット中でアップリンク通信を送信することと、ここにおいて、アップリンク通信を送信することは、チャネルフォーマットの一部分に基づく、を説明する。【選択図】  図４
2020519123.tif 000002
【特許請求の範囲】
【請求項１】
ワイヤレス通信のための方法であって、
スロット中でアップリンク通信を送信するためのチャネルフォーマットを決定することと、ここにおいて、前記チャネルフォーマットは、前記アップリンク通信のペイロードサイズに少なくとも部分的に基づいて、複数のチャネルフォーマットから選択される、
前記アップリンク通信を送信するための前記スロットのアップリンクチャネル持続期間の開始シンボルおよび終了シンボルを決定することと、
前記開始シンボルおよび前記終了シンボルに少なくとも部分的に基づいて、前記スロット中で前記アップリンク通信を送信する際に利用するための前記チャネルフォーマットの一部分を決定することと、
前記スロット中で前記アップリンク通信を送信することと、ここにおいて、前記アップリンク通信を送信することは、前記チャネルフォーマットの前記一部分に基づく、
を備える、方法。
【請求項２】
前記チャネルフォーマットは、第１のペイロードサイズに対応する前記複数のチャネルフォーマットのうちの第１のチャネルフォーマット、第２のペイロードサイズに対応する前記複数のチャネルフォーマットのうちの第２のチャネルフォーマット、または第３のペイロードサイズに対応する前記複数のチャネルフォーマットのうちの第３のチャネルフォーマット、のうちの１つであると決定され、ここにおいて、前記第１のペイロードサイズは前記第２のペイロードサイズよりも小さく、前記第２のペイロードサイズは前記第３のペイロードサイズよりも小さい、請求項１に記載の方法。
【請求項３】
前記チャネルフォーマットは、前記スロットの少なくとも一部分において、復調基準信号（ＤＭ−ＲＳ）送信のために指定されたシンボルと、アップリンクデータ送信のために指定されたシンボルとの交互の固定パターンを示す、請求項１に記載の方法。
【請求項４】
前記チャネルフォーマットは、前記アップリンク通信の前記ペイロードサイズがアップリンク制御データの１または２ビットであるとの決定に基づいて選択される、請求項３に記載の方法。
【請求項５】
前記チャネルフォーマットは、ＤＭ−ＲＳのために指定されたような前記固定パターンで前記開始シンボルを示す、請求項４に記載の方法。
【請求項６】
前記チャネルフォーマットは、復調基準信号（ＤＭ−ＲＳ）送信のために指定された１つまたは複数のシンボルの固定パターンを示し、前記チャネルフォーマットの前記一部分は、前記固定パターン中の前記１つまたは複数のシンボルうちの少なくとも１つを含むように決定される、請求項１に記載の方法。
【請求項７】
前記チャネルフォーマットはまた、通信周波数を切り替えるシンボル境界に対応するホッピング位置を示す、請求項６に記載の方法。
【請求項８】
前記固定パターンは、周波数ホッピングが構成されるかどうかに関わらず固定される、請求項６に記載の方法。
【請求項９】
前記固定パターンは、周波数ホッピングが構成されるかどうかに少なくとも部分的に基づく、請求項６に記載の方法。
【請求項１０】
前記複数のチャネルフォーマットの前記各々は、復調基準信号（ＤＭ−ＲＳ）送信のために指定された１つまたは複数のシンボルの固定パターンと、通信周波数を切り替えるシンボル境界に対応するホッピング位置とを示す、請求項１に記載の方法。
【請求項１１】
前記開始シンボルおよび前記終了シンボルに少なくとも部分的に基づいて、前記アップリンク通信を送信するための拡散率および／または直交カバーセットを決定することをさらに備える、請求項１に記載の方法。
【請求項１２】
前記拡散率および／または前記直交カバーセットを決定することはさらに、周波数ホッピングが構成されるかどうかに少なくとも部分的に基づく、請求項１１に記載の方法。
【請求項１３】
前記チャネルフォーマットは、前記スロット中の復調基準信号（ＤＭ−ＲＳ）送信のために指定された３つまたは４つのシンボルの固定パターンを示す、請求項１に記載の方法。
【請求項１４】
前記チャネルフォーマットは、周波数ホッピングが構成される場合、前記スロットの各ハーフスロット中の復調基準信号（ＤＭ−ＲＳ）送信のために指定された２つのシンボルの前記固定パターンを示す、請求項１３に記載の方法。
【請求項１５】
前記チャネルフォーマットは、前記スロット中の復調基準信号（ＤＭ−ＲＳ）送信のために指定された１つまたは２つのシンボルの固定パターンを示す、請求項１に記載の方法。
【請求項１６】
前記チャネルフォーマットは、周波数ホッピングが構成される、前記スロットの各ハーフスロット中の復調基準信号（ＤＭ−ＲＳ）送信のために指定された１つのシンボルの前記固定パターンを示す、請求項１５に記載の方法。
【請求項１７】
前記チャネルフォーマットは、固定されたシンボルごとのユーザ多重化スキームおよび／またはフレキシブルなマルチシンボルユーザ多重化スキームを定義する、請求項１に記載の方法。
【請求項１８】
前記アップリンク通信を送信するための前記チャネルフォーマットおよび／または多重化スキームを決定することはさらに、ドップラモードに少なくとも部分的に基づく、請求項１に記載の方法。
【請求項１９】
スロット内周波数ホッピングを有効化するかどうかおよび／または前記チャネルフォーマットを決定することは、ドップラモードまたは前記ペイロードサイズに少なくとも部分的に基づく、請求項１に記載の方法。
【請求項２０】
前記チャネルフォーマットを決定することはさらに、前記チャネルフォーマットの前記一部分が復調基準信号（ＤＭ−ＲＳ）を送信するために指定された少なくとも１つのシンボルを含むかどうかを決定することに少なくとも部分的に基づく、請求項１に記載の方法。
【請求項２１】
ワイヤレス通信のための装置であって、
少なくとも１つの送信機および１つまたは複数のアンテナを介して１つまたは複数のワイヤレス信号を通信するためのトランシーバと、
命令を記憶するように構成されたメモリと、
前記トランシーバおよび前記メモリと通信可能に結合された１つまたは複数のプロセッサと
を備え、ここにおいて、前記１つまたは複数のプロセッサは、
スロット中でアップリンク通信を送信するためのチャネルフォーマットを決定することと、ここにおいて、前記チャネルフォーマットは、前記アップリンク通信のペイロードサイズに少なくとも部分的に基づいて、複数のチャネルフォーマットから選択される、
前記アップリンク通信を送信するための前記スロットのアップリンクチャネル持続期間の開始シンボルおよび終了シンボルを決定することと、
前記開始シンボルおよび前記終了シンボルに少なくとも部分的に基づいて、前記スロット中で前記アップリンク通信を送信する際に利用するための前記チャネルフォーマットの一部分を決定することと、
前記スロット中で前記アップリンク通信を送信することと、ここにおいて、前記アップリンク通信を送信することは、前記チャネルフォーマットの前記一部分に基づく、
を行うように構成された、装置。
【請求項２２】
前記チャネルフォーマットは、第１のペイロードサイズに対応する前記複数のチャネルフォーマットのうちの第１のチャネルフォーマット、第２のペイロードサイズに対応する前記複数のチャネルフォーマットのうちの第２のチャネルフォーマット、または第３のペイロードサイズに対応する前記複数のチャネルフォーマットのうちの第３のチャネルフォーマット、のうちの１つであると決定され、ここにおいて、前記第１のペイロードサイズは前記第２のペイロードサイズよりも小さく、前記第２のペイロードサイズは前記第３のペイロードサイズよりも小さい、請求項２１に記載の装置。
【請求項２３】
前記チャネルフォーマットは、前記スロットの少なくとも一部分において、復調基準信号（ＤＭ−ＲＳ）送信のために指定されたシンボルと、アップリンクデータ送信のために指定されたシンボルとの交互の固定パターンを示す、請求項２１に記載の装置。
【請求項２４】
前記チャネルフォーマットは、前記アップリンク通信の前記ペイロードサイズがアップリンク制御データの１または２ビットであるとの決定に基づいて選択される、請求項２３に記載の装置。
【請求項２５】
前記チャネルフォーマットは、ＤＭ−ＲＳのために指定されたような前記固定パターンで前記開始シンボルを示す、請求項２４に記載の装置。
【請求項２６】
前記チャネルフォーマットは、復調基準信号（ＤＭ−ＲＳ）送信のために指定された１つまたは複数のシンボルの固定パターンを示し、ここにおいて、前記チャネルフォーマットの前記一部分は、前記固定パターン中の前記１つまたは複数のシンボルうちの少なくとも１つを含むように決定される、請求項２１に記載の装置。
【請求項２７】
前記チャネルフォーマットはまた、通信周波数を切り替えるシンボル境界に対応するホッピング位置を示す、請求項２６に記載の装置。
【請求項２８】
前記固定パターンは、周波数ホッピングが構成されるかどうかに関わらず固定される、請求項２７に記載の装置。
【請求項２９】
前記固定パターンは、周波数ホッピングが構成されるかどうかに少なくとも部分的に基づく、請求項２７に記載の装置。
【請求項３０】
前記複数のチャネルフォーマットの前記各々は、復調基準信号（ＤＭ−ＲＳ）送信のために指定された１つまたは複数のシンボルの固定パターンと、通信周波数を切り替えるシンボル境界に対応するホッピング位置とを示す、請求項２１に記載の装置。
【請求項３１】
前記開始シンボルおよび前記終了シンボルに少なくとも部分的に基づいて、前記アップリンク通信を送信するための拡散率および／または直交カバーセットを決定することをさらに備える、請求項２１に記載の装置。
【請求項３２】
前記アップリンク通信を送信するための前記チャネルフォーマットおよび／または多重化スキームを決定することはさらに、ドップラモードに少なくとも部分的に基づく、請求項２１に記載の装置。
【請求項３３】
スロット内周波数ホッピングを有効化するかどうかおよび／または前記チャネルフォーマットを決定することは、ドップラモードまたは前記ペイロードサイズに少なくとも部分的に基づく、請求項２１に記載の装置。
【請求項３４】
ワイヤレス通信のための装置であって、
スロット中でアップリンク通信を送信するためのチャネルフォーマットを決定するための手段と、ここにおいて、前記チャネルフォーマットは、前記アップリンク通信のペイロードサイズに少なくとも部分的に基づいて、複数のチャネルフォーマットから選択される、
前記アップリンク通信を送信するための前記スロットのアップリンクチャネル持続期間の開始シンボルおよび終了シンボルを決定するための手段と、
前記開始シンボルおよび前記終了シンボルに少なくとも部分的に基づいて、前記スロット中で前記アップリンク通信を送信する際に利用するための前記チャネルフォーマットの一部分を決定するための手段と、
前記スロット中で前記アップリンク通信を送信するための手段と、ここにおいて、前記アップリンク通信を送信することは、前記チャネルフォーマットの前記一部分に基づく、
を備える、装置。
【請求項３５】
前記チャネルフォーマットは、第１のペイロードサイズに対応する前記複数のチャネルフォーマットのうちの第１のチャネルフォーマット、第２のペイロードサイズに対応する前記複数のチャネルフォーマットのうちの第２のチャネルフォーマット、または第３のペイロードサイズに対応する前記複数のチャネルフォーマットのうちの第３のチャネルフォーマット、のうちの１つであると決定され、ここにおいて、前記第１のペイロードサイズは前記第２のペイロードサイズよりも小さく、前記第２のペイロードサイズは前記第３のペイロードサイズよりも小さい、請求項３４に記載の装置。
【請求項３６】
前記チャネルフォーマットは、前記スロットの少なくとも一部分において、復調基準信号（ＤＭ−ＲＳ）送信のために指定されたシンボルと、アップリンクデータ送信のために指定されたシンボルとの交互の固定パターンを示す、請求項３４に記載の装置。
【請求項３７】
前記チャネルフォーマットは、前記アップリンク通信の前記ペイロードサイズがアップリンク制御データの１または２ビットであるとの決定に基づいて選択される、請求項３６に記載の装置。
【請求項３８】
前記チャネルフォーマットは、ＤＭ−ＲＳのために指定されたような前記固定パターンで前記開始シンボルを示す、請求項３７に記載の装置。
【請求項３９】
前記チャネルフォーマットは、復調基準信号（ＤＭ−ＲＳ）送信のために指定された１つまたは複数のシンボルの固定パターンを示し、ここにおいて、前記チャネルフォーマットの前記一部分は、前記固定パターン中の前記１つまたは複数のシンボルうちの少なくとも１つを含むように決定される、請求項３４に記載の装置。
【請求項４０】
前記複数のチャネルフォーマットの前記各々は、復調基準信号（ＤＭ−ＲＳ）送信のために指定された１つまたは複数のシンボルの固定パターンと、通信周波数を切り替えるシンボル境界に対応するホッピング位置とを示す、請求項３４に記載の装置。
【請求項４１】
ワイヤレス通信のために１つまたは複数のプロセッサによって実行可能なコードを備えるコンピュータ可読媒体であって、前記コードは、
スロット中でアップリンク通信を送信するためのチャネルフォーマットを決定するためのコードと、ここにおいて、前記チャネルフォーマットは、前記アップリンク通信のペイロードサイズに少なくとも部分的に基づいて、複数のチャネルフォーマットから選択される、
前記アップリンク通信を送信するための前記スロットのアップリンクチャネル持続期間の開始シンボルおよび終了シンボルを決定するためのコードと、
前記開始シンボルおよび前記終了シンボルに少なくとも部分的に基づいて、前記スロット中で前記アップリンク通信を送信する際に利用するための前記チャネルフォーマットの一部分を決定するためのコードと、
前記スロット中で前記アップリンク通信を送信するためのコードと、ここにおいて、前記アップリンク通信を送信することは、前記チャネルフォーマットの前記一部分に基づく、
を備える、コンピュータ可読媒体。
【請求項４２】
前記チャネルフォーマットは、第１のペイロードサイズに対応する前記複数のチャネルフォーマットのうちの第１のチャネルフォーマット、第２のペイロードサイズに対応する前記複数のチャネルフォーマットのうちの第２のチャネルフォーマット、または第３のペイロードサイズに対応する前記複数のチャネルフォーマットのうちの第３のチャネルフォーマット、のうちの１つであると決定され、ここにおいて、前記第１のペイロードサイズは前記第２のペイロードサイズよりも小さく、前記第２のペイロードサイズは前記第３のペイロードサイズよりも小さい、請求項４１に記載のコンピュータ可読媒体。
【請求項４３】
前記チャネルフォーマットは、前記スロットの少なくとも一部分において、復調基準信号（ＤＭ−ＲＳ）送信のために指定されたシンボルと、アップリンクデータ送信のために指定されたシンボルとの交互の固定パターンを示す、請求項４１に記載のコンピュータ可読媒体。
【請求項４４】
前記チャネルフォーマットは、前記アップリンク通信の前記ペイロードサイズがアップリンク制御データの１または２ビットであるとの決定に基づいて選択される、請求項４３に記載のコンピュータ可読媒体。
【請求項４５】
前記チャネルフォーマットは、ＤＭ−ＲＳのために指定されたような前記固定パターンで前記開始シンボルを示す、請求項４４に記載のコンピュータ可読媒体。
【請求項４６】
前記チャネルフォーマットは、復調基準信号（ＤＭ−ＲＳ）送信のために指定された１つまたは複数のシンボルの固定パターンを示し、ここにおいて、前記チャネルフォーマットの前記一部分は、前記固定パターン中の前記１つまたは複数のシンボルうちの少なくとも１つを含むように決定される、請求項４１に記載のコンピュータ可読媒体。
【請求項４７】
前記複数のチャネルフォーマットの前記各々は、復調基準信号（ＤＭ−ＲＳ）送信のために指定された１つまたは複数のシンボルの固定パターンと、通信周波数を切り替えるシンボル境界に対応するホッピング位置とを示す、請求項４１に記載のコンピュータ可読媒体。
【請求項４８】
ワイヤレス通信のための方法であって、
アップリンクチャネル持続期間の開始シンボルおよび終了シンボルを示すことと、
スロット内の前記アップリンクチャネル持続期間中にアップリンクチャネル上の通信を受信するためのチャネルフォーマットを決定することと、ここにおいて、前記チャネルフォーマットは、複数のチャネルフォーマットのうちの１つであり、かつ少なくとも１つのペイロードサイズに基づく、
前記アップリンクチャネル持続期間中に前記アップリンクチャネル上で、および前記チャネルフォーマットに従って、アップリンク通信を受信することと
を備える、方法。
【請求項４９】
前記複数のチャネルフォーマットのうちの第１のチャネルフォーマットは、第１のペイロードサイズに対応し、前記スロットの各ハーフスロット中の復調基準信号（ＤＭ−ＲＳ）送信のために指定された交互のシンボルの第１の固定パターンを示し、
ここにおいて、前記複数のチャネルフォーマットのうちの第２のチャネルフォーマットは、第２のペイロードサイズに対応し、前記スロット中のＤＭ−ＲＳ送信のために指定された３つまたは４つのシンボルの第２の固定パターンを示し、
ここにおいて、前記複数のチャネルフォーマットのうちの第３のチャネルフォーマットは、第３のペイロードサイズに対応し、前記スロット中のＤＭ−ＲＳ送信のために指定された１つまたは２つのシンボルの第３の固定パターンを示し、
ここにおいて、前記第１のペイロードサイズは前記第２のペイロードサイズよりも小さく、前記第２のペイロードサイズは前記第３のペイロードサイズよりも小さい、
請求項４８に記載の方法。
【請求項５０】
ワイヤレス通信のための装置であって、
少なくとも１つの送信機および１つまたは複数のアンテナを介して１つまたは複数のワイヤレス信号を通信するためのトランシーバと、
命令を記憶するように構成されたメモリと、
前記トランシーバおよび前記メモリと通信可能に結合された１つまたは複数のプロセッサと
を備え、ここにおいて、前記１つまたは複数のプロセッサは、
アップリンクチャネル持続期間の開始シンボルおよび終了シンボルを示すことと、
スロット内の前記アップリンクチャネル持続期間中のアップリンクチャネル上の通信を受信するためのチャネルフォーマットを決定することと、ここにおいて、前記チャネルフォーマットは、複数のチャネルフォーマットのうちの１つであり、かつ少なくとも１つのペイロードサイズに基づく、
前記アップリンクチャネル持続期間中に前記アップリンクチャネル上で、および前記チャネルフォーマットに従って、アップリンク通信を受信することと
を行うように構成された、装置。
【請求項５１】
前記複数のチャネルフォーマットのうちの第１のチャネルフォーマットは、第１のペイロードサイズに対応し、前記スロットの各ハーフスロット中の復調基準信号（ＤＭ−ＲＳ）送信のために指定された交互のシンボルの第１の固定パターンを示し、
ここにおいて、前記複数のチャネルフォーマットのうちの第２のチャネルフォーマットは、第２のペイロードサイズに対応し、前記スロット中のＤＭ−ＲＳ送信のために指定された３つまたは４つのシンボルの第２の固定パターンを示し、
ここにおいて、前記複数のチャネルフォーマットのうちの第３のチャネルフォーマットは、第３のペイロードサイズに対応し、前記スロット中のＤＭ−ＲＳ送信のために指定された１つまたは２つのシンボルの第３の固定パターンを示し、
ここにおいて、前記第１のペイロードサイズは前記第２のペイロードサイズよりも小さく、前記第２のペイロードサイズは前記第３のペイロードサイズよりも小さい、
請求項５０に記載の装置。
【請求項５２】
ワイヤレス通信のための装置であって、
アップリンクチャネル持続期間の開始シンボルおよび終了シンボルを示すための手段と、
スロット内の前記アップリンクチャネル持続期間中のアップリンクチャネル上の通信を受信するためのチャネルフォーマットを決定するための手段と、ここにおいて、前記チャネルフォーマットは、複数のチャネルフォーマットのうちの１つであり、かつ少なくとも１つのペイロードサイズに基づく、
前記アップリンクチャネル持続期間中に前記アップリンクチャネル上で、および前記チャネルフォーマットに従って、アップリンク通信を受信するための手段と
を備える、装置。
【請求項５３】
前記複数のチャネルフォーマットのうちの第１のチャネルフォーマットは、第１のペイロードサイズに対応し、前記スロットの各ハーフスロット中の復調基準信号（ＤＭ−ＲＳ）送信のために指定された交互のシンボルの第１の固定パターンを示し、
ここにおいて、前記複数のチャネルフォーマットのうちの第２のチャネルフォーマットは、第２のペイロードサイズに対応し、前記スロット中のＤＭ−ＲＳ送信のために指定された３つまたは４つのシンボルの第２の固定パターンを示し、
ここにおいて、前記複数のチャネルフォーマットのうちの第３のチャネルフォーマットは、第３のペイロードサイズに対応し、前記スロット中のＤＭ−ＲＳ送信のために指定された１つまたは２つのシンボルの第３の固定パターンを示し、
ここにおいて、前記第１のペイロードサイズは前記第２のペイロードサイズよりも小さく、前記第２のペイロードサイズは前記第３のペイロードサイズよりも小さい、
請求項５２に記載の装置。
【請求項５４】
ワイヤレス通信のために１つまたは複数のプロセッサによって実行可能なコードを備えるコンピュータ可読媒体であって、前記コードは、
アップリンクチャネル持続期間の開始シンボルおよび終了シンボルを示すためのコードと、
スロット内の前記アップリンクチャネル持続期間中のアップリンクチャネル上の通信を受信するためのチャネルフォーマットを決定するためのコードと、ここにおいて、前記チャネルフォーマットは、複数のチャネルフォーマットのうちの１つであり、かつ少なくとも１つのペイロードサイズに基づく、
前記アップリンクチャネル持続期間中に前記アップリンクチャネル上で、および前記チャネルフォーマットに従って、アップリンク通信を受信するためのコードと
を備える、コンピュータ可読媒体。
【請求項５５】
前記複数のチャネルフォーマットのうちの第１のチャネルフォーマットは、第１のペイロードサイズに対応し、前記スロットの各ハーフスロット中の復調基準信号（ＤＭ−ＲＳ）送信のために指定された交互のシンボルの第１の固定パターンを示し、
ここにおいて、前記複数のチャネルフォーマットのうちの第２のチャネルフォーマットは、第２のペイロードサイズに対応し、前記スロット中のＤＭ−ＲＳ送信のために指定された３つまたは４つのシンボルの第２の固定パターンを示し、
ここにおいて、前記複数のチャネルフォーマットのうちの第３のチャネルフォーマットは、第３のペイロードサイズに対応し、前記スロット中のＤＭ−ＲＳ送信のために指定された１つまたは２つのシンボルの第３の固定パターンを示し、
ここにおいて、前記第１のペイロードサイズは前記第２のペイロードサイズよりも小さく、前記第２のペイロードサイズは前記第３のペイロードサイズよりも小さい、
請求項５４に記載のコンピュータ可読媒体。
【発明の詳細な説明】
【関連出願の相互参照】
【０００１】
[0001]  本特許出願は、２０１８年５月２日付で出願された「CHANNEL FORMATS WITH FLEXIBLE DURATION IN WIRELESS COMMUNICATIONS」と題された米国非仮特許出願第１５／９６９，４７７号、および２０１７年５月５日付で出願された「CHANNEL FORMATS WITH FLEXIBLE DURATION IN WIRELESS COMMUNICATIONS」と題された米国仮特許出願第６２／５０２，４２１号に対する優先権を主張し、これらは、本明細書の譲受人に譲渡され、あらゆる目的のために本明細書に参照により明示的に組み込まれている。
【背景技術】
【０００２】
[0002]  本開示の態様は、一般にワイヤレス通信システムに関し、より詳細には、フレキシブルな持続期間（durations）を有する（with）チャネルフォーマットを提供することに関する。
【０００３】
[0003]  ワイヤレス通信システムは、音声、映像、パケットデータ、メッセージング、ブロードキャストなどのような様々なタイプの通信コンテンツを提供するために広く展開されている。これらのシステムは、利用可能なシステムリソース（例えば、時間、周波数、および電力）を共有することによって複数のユーザとの通信をサポートすることができる多元接続システム（multiple-access systems）であり得る。このような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、およびシングルキャリア周波数分割多元接続（ＳＣ−ＦＤＭＡ）システムを含む。
【０００４】
[0004]  これらの多元接続技術は、異なるワイヤレスデバイスが都市、国家、地域、さらには地球規模で通信することを可能にする共通プロトコルを提供するために様々な電気通信規格において採用されている。例えば、（５Ｇの新無線（５Ｇ ＮＲ：5G new radio）とも呼ばれ得る）第５世代（５Ｇ）ワイヤレス通信技術は、現在のモバイルネットワーク世代に関する様々な（diverse）使用法のシナリオおよびアプリケーションを拡大しサポートすると考えられる（is envisaged to）。一態様では、５Ｇ通信技術は、マルチメディアコンテンツ、サービス、およびデータへのアクセスのためのヒューマンセントリックな使用ケースを扱う拡張モバイルブロードバンド（ｅＭＢＢ）、レイテンシおよび信頼性のための特定の規格を用いた高信頼性低レイテンシ通信（ＵＲＬＬＣ）、および大容量マシンタイプ通信などのサービスを含むことができ、これらは、非常に多くの接続デバイスおよび比較的低量の非遅延センシティブな情報の送信を利用可能にする（allow）ことができる。しかしながら、モバイルブロードバンドアクセスに対する需要が高まり続けるにつれ（As）、５Ｇ通信技術におけるさらなる改善やそれを超えることが望まれ得る。
【０００５】
[0005]  一般に、ロングタームエボリューション（ＬＴＥ（登録商標））、および／または他のワイヤレス通信は、割り当てられたチャネルリソース上でノードＢと通信することができ、それは、いくつかの（a number of）直交周波数分割多元接続（ＯＦＤＭ）シンボル、単一搬送波周波数分割多元接続（ＳＣ−ＦＤＭ）シンボル、および／または同様のものなどの、時間期間の経過に伴う周波数の一部分を含み得る。ＬＴＥでは、例えば、ＵＥは、サブフレーム中のチャネルリソースを割り当てられることができ、それは、持続期間において実質的に１ミリ秒であり得、各々が６または７シンボルを有する（with）２つのハーフスロットを含み得る。２つのハーフスロットは、スロット内（inter-slot）周波数ホッピングが構成される通信のために異なる周波数リソースを使用するように割り当てられ得る。加えて、ＬＴＥは、通信中にさらなるダイバーシティを達成するために符号分割多重化（ＣＤＭ）を使用することができ、それは、チャネルリソース上の送信に関する通信を生成するために、サイクリックシフト、ウォルシュカバーコード、プレ離散フーリエ変換（ＤＦＴ）ウォルシュカバーコードなどを使用することを含み得る。
【０００６】
[0006]  ５Ｇ ＮＲでは、時分割複信（ＴＤＤ）フレーム構造は、複数の（multiple）スロットを有することが示されており（are proposed）、ここで、各スロットは通常（typically）、シンボルの物理ダウンリンク制御チャネル（ＰＤＣＣＨ）部分と、シンボルのアップリンクショートバースト（ＵＬＳＢ：uplink short burst）部分とを含むいくつかのシンボルを含むことができ（can）、ＵＥは、ＵＬＳＢ部分中で何らかの（some）制御データを送信することができる。スロットは、ＰＤＣＣＨ／ＵＬＳＢの発生（occurrence）を低減するためにアグリゲートされる（aggregated）ことができる。加えて、５Ｇ ＮＲでは、アップリンクロングバーストが構成され得、それは、スロット中で４〜１４の間の連続するシンボルを使用し得る。
【発明の概要】
【０００７】
[0007]  以下で、１つまたは複数の態様の基本的理解を提供するために、そのような態様の簡略化された概要を提示する。この概要は、全ての企図された態様の包括的な概観ではなく、全ての態様の主要または重要な要素を識別するものでも、任意のまたは全ての態様の範囲を定めるものでもない。その唯一の目的は、後で提示するより詳細な説明の導入として、１つまたは複数の態様のいくつかの概念を簡略化された形で提示することである。
【０００８】
[0008]  一例によると、ワイヤレス通信のための方法が提供される。方法は、スロット中でアップリンク通信を送信するためのチャネルフォーマットを決定することと、ここで、チャネルフォーマットは、アップリンク通信のペイロードサイズに少なくとも部分的に基づいて、複数の（multiple）チャネルフォーマットから選択され、アップリンク通信を送信するための（for）スロットのアップリンクチャネル持続期間の開始シンボルおよび終了シンボルを決定することと、開始シンボルおよび終了シンボルに少なくとも部分的に基づいて、スロット中でアップリンク通信を送信する際に利用するための（to）チャネルフォーマットの一部分を決定することと、スロット中でアップリンク通信を送信することと、ここで、アップリンク通信を送信することは、チャネルフォーマットの一部分に基づく、を含む。
【０００９】
[0009]  別の例では、ワイヤレス通信のための装置が提供される。装置は、少なくとも１つの送信機および１つまたは複数のアンテナを介して１つまたは複数のワイヤレス信号を通信するためのトランシーバと、命令を記憶するように構成されたメモリと、トランシーバおよびメモリと通信可能に結合された１つまたは複数のプロセッサとを含む。１つまたは複数のプロセッサは、スロット中でアップリンク通信を送信するためのチャネルフォーマットを決定することと、ここで、チャネルフォーマットは、アップリンク通信のペイロードサイズに少なくとも部分的に基づいて、複数のチャネルフォーマットから選択され、アップリンク通信を送信するためのスロットのアップリンクチャネル持続期間の開始シンボルおよび終了シンボルを決定することと、開始シンボルおよび終了シンボルに少なくとも部分的に基づいて、スロット中でアップリンク通信を送信する際に利用するためのチャネルフォーマットの一部分を決定することと、スロット中でアップリンク通信を送信することと、ここで、アップリンク通信を送信することは、チャネルフォーマットの一部分に基づく、を行うように構成される。
【００１０】
[0010]  別の例では、ワイヤレス通信のための装置は、スロット中でアップリンク通信を送信するためのチャネルフォーマットを決定するための手段と、ここで、チャネルフォーマットは、アップリンク通信のペイロードサイズに少なくとも部分的に基づいて、複数のチャネルフォーマットから選択され、アップリンク通信を送信するためのスロットのアップリンクチャネル持続期間の開始シンボルおよび終了シンボルを決定するための手段と、開始シンボルおよび終了シンボルに少なくとも部分的に基づいて、スロット中でアップリンク通信を送信する際に利用するためのチャネルフォーマットの一部分を決定するための手段と、スロット中でアップリンク通信を送信するための手段と、ここで、アップリンク通信を送信することは、チャネルフォーマットの一部分に基づく、を含むことを提供される。
【００１１】
[0011]  別の例では、ワイヤレス通信のために１つまたは複数のプロセッサによって実行可能なコードを含むコンピュータ可読媒体が提供される。コードは、スロット中でアップリンク通信を送信するためのチャネルフォーマットを決定するためのコードと、ここで、チャネルフォーマットは、アップリンク通信のペイロードサイズに少なくとも部分的に基づいて、複数のチャネルフォーマットから選択され、アップリンク通信を送信するためのスロットのアップリンクチャネル持続期間の開始シンボルおよび終了シンボルを決定するためのコードと、開始シンボルおよび終了シンボルに少なくとも部分的に基づいて、スロット中でアップリンク通信を送信する際に利用するためのチャネルフォーマットの一部分を決定するためのコードと、スロット中でアップリンク通信を送信するためのコードと、ここで、アップリンク通信を送信することは、チャネルフォーマットの一部分に基づく、を含む。
【００１２】
[0012]  さらに別の態様では、ワイヤレス通信のための方法が提供される。方法は、アップリンクチャネル持続期間の開始シンボルおよび終了シンボルを示すことと、スロット内のアップリンクチャネル持続期間中のアップリンクチャネル上の通信を受信するためのチャネルフォーマットを決定することと、ここで、チャネルフォーマットは、複数のチャネルフォーマットのうちの１つであり、かつ少なくとも１つのペイロードサイズに基づいており、アップリンクチャネル持続期間中にアップリンクチャネル上で、およびチャネルフォーマットに従って、アップリンク通信を受信することと、を含む。
【００１３】
[0013]  別の例では、ワイヤレス通信のための装置は、少なくとも１つの送信機および１つまたは複数のアンテナを介して１つまたは複数のワイヤレス信号を通信するためのトランシーバと、命令を記憶するように構成されたメモリと、トランシーバおよびメモリと通信可能に結合された１つまたは複数のプロセッサとを含むことを提供される。１つまたは複数のプロセッサは、アップリンクチャネル持続期間の開始シンボルおよび終了シンボルを示すことと、スロット内のアップリンクチャネル持続期間中のアップリンクチャネル上の通信を受信するためのチャネルフォーマットを決定することと、ここで、チャネルフォーマットは、複数のチャネルフォーマットのうちの１つであり、かつ少なくとも１つのペイロードサイズに基づいており、アップリンクチャネル持続期間中にアップリンクチャネル上で、およびチャネルフォーマットに従って、アップリンク通信を受信することと、を行うように構成される。
【００１４】
[0014]  別の例では、ワイヤレス通信のための装置は、アップリンクチャネル持続期間の開始シンボルおよび終了シンボルを示すための手段と、スロット内のアップリンクチャネル持続期間中のアップリンクチャネル上の通信を受信するためのチャネルフォーマットを決定するための手段と、ここで、チャネルフォーマットは、複数のチャネルフォーマットのうちの１つであり、かつ少なくとも１つのペイロードサイズに基づいており、アップリンクチャネル持続期間中にアップリンクチャネル上で、およびチャネルフォーマットに従って、アップリンク通信を受信するための手段と、を含むことを提供される。
【００１５】
[0015]  別の例では、ワイヤレス通信のために１つまたは複数のプロセッサによって実行可能なコードを含むコンピュータ可読媒体が提供される。コードは、アップリンクチャネル持続期間の開始シンボルおよび終了シンボルを示すためのコードと、スロット内のアップリンクチャネル持続期間中のアップリンクチャネル上の通信を受信するためのチャネルフォーマットを決定するためのコードと、ここで、チャネルフォーマットは、複数のチャネルフォーマットのうちの１つであり、かつ少なくとも１つのペイロードサイズに基づいており、アップリンクチャネル持続期間中にアップリンクチャネル上で、およびチャネルフォーマットに従って、アップリンク通信を受信するためのコードと、を含む。
【００１６】
[0016]  前述のおよび関連する目的を達成するために、１つまたは複数の態様は、以下で十分に説明し、特に特許請求の範囲で指摘する特徴を備える。以下の説明および添付の図面は、１つまたは複数の態様のうちのいくつかの例示的な特徴を詳細に記載する。しかしながら、これらの特徴は、様々な態様の原理が採用され得る様々な方法のほんのいくつかを示すものであり、この説明は、全てのそのような態様およびそれらの均等物を含むものとする。
【図面の簡単な説明】
【００１７】
[0017]  開示された態様は、以下で添付された図面に関連して説明され、開示された態様を制限するためではなく例示するために提供され、ここで、同様の表記は同様の要素を示す。
【図１】[0018]  図１は、本開示の様々な態様に従った、ワイヤレス通信システムの例を示す。
【図２】[0019]  図２は、本開示の様々な態様に従った、基地局の例を図示するブロック図である。
【図３】[0020]  図３は、本開示の様々な態様に従った、ＵＥの例を図示するブロック図である。
【図４】[0021]  図４は、本開示の様々な態様に従った、アップリンク通信を送信するための方法の例を図示するフローチャートである。
【図５】[0022]  図５は、本開示の様々な態様に従った、アップリンク通信を構成するための方法の例を図示するフローチャートである。
【図６】[0023]  図６は、本開示の様々な態様に従った、チャネルフォーマットの例を図示する。
【図７Ａ】[0024]  図７Ａは、本開示の様々な態様に従った、スロット構成の例を図示する。
【図７Ｂ】[0024]  図７Ｂは、本開示の様々な態様に従った、スロット構成の例を図示する。
【図８】[0025]  図８は、本開示の様々な態様に従った、チャネルフォーマットの選択された部分（portions）の例を図示する。
【図９】[0026]  図９は、本開示の様々な態様に従った、基地局およびＵＥを含むＭＩＭＯ通信システムの例を図示するブロック図である。
【詳細な説明】
【００１８】
[0027]  次に、図面を参照しながら様々な態様について説明する。以下の説明では、説明のために、１つまたは複数の態様の完全な理解を提供するために多数の具体的な詳細を記載する。しかしながら、そのような態様が、これら特定の詳細なしに実施され得ることは明らかであるだろう。
【００１９】
[0028]  説明される特徴は、一般に、ワイヤレス通信における可変の（varying）チャネル持続期間とともに使用するための（for use with）フレキシブルなチャネル設計を提供することに関する。例えば、ロングタームエボリューション（ＬＴＥ）、第５世代（５Ｇ）新無線（ＮＲ）などのようなワイヤレス通信技法では、ワイヤレス通信は、スケジューリングされ得るか、またはそうでなければ、時間経過に伴う（over time）周波数スペクトルの一部分上で発生し得る。時間経過に伴う周波数スペクトルの一部分は、直交周波数分割多元接続シンボル、シングルキャリア周波数分割多重化（ＳＣ−ＦＤＭ）シンボル、および／または同様のものを使用して定義されることができ、スロットを定義するシンボルの集合（collections）にグループ化されることができる。例えば、１つのスロットは、ワイヤレス通信技術の構成に従って、（例えば、シンボルが通常のサイクリックプレフィクス（ＣＰ）に関連付けられる）１４個のシンボル、（例えば、シンボルが拡張型ＣＰに関連付けられる）１２個のシンボル、および／または同様のものを含み得る。さらに、例えば、スロットは、持続期間が（in duration）約１ミリ秒（ｍｓ）であり得、各シンボルは、スロット内で実質的に等しい持続期間を有し得る（例えば、構成に従って、１／１４または１／１２ｍｓ）。加えて、例えば、ワイヤレス通信技術は、スロット内の１つまたは複数のシンボル（例えば、１シンボルＴＴＩ、２シンボルＴＴＩなど）を含む１つの（a）送信時間間隔（ＴＴＩ）、スロット全体（例えば、１スロットＴＴＩ）、および／または同様のものを定義し得る。
【００２０】
[0029]  これらの例では、複数のスロット構造は、所与のスロット内のアップリンクおよびダウンリンクシンボルの異なる構成を有すると定義されることができ、よって（thus）、所与のスロット内のアップリンクシンボルの数および／または配置は、構成に基づいて変化し得る。従って、本明細書で説明される例は、フレキシブルな持続期間を有するおよび／またはある特定の（certain）チャネルフォーマットに対応するチャネル設計を提供することに関する。一例では、複数の利用可能なチャネルフォーマットは、対応するチャネル上で送信されるデータの異なるペイロードサイズについて定義され得、デバイスは、ワイヤレス通信を行う際に使用する複数のチャネルフォーマット（channel formats）のうちの１つの少なくとも一部分を決定することができる。例えば、チャネルフォーマットは、ペイロードサイズに基づいて選択され得（can）、複数のチャネルフォーマットのうちの１つの部分は、割り当てられたチャネル持続期間に基づいて決定され得る。一例では、チャネルフォーマットは、複数のチャネルフォーマットのうちの１つの選択された部分が少なくとも１つのＤＭ−ＲＳを含み得るように、および／または所与のチャネルフォーマットに従って復調基準信号（ＤＭ−ＲＳ）を送信するための固定ＤＭ−ＲＳパターンを用いて定義され得る。加えて、例えば、チャネルフォーマットは、ワイヤレス通信技術によって定義された他の時分割、またはスロットにわたる（across）周波数ホッピングについての少なくとも１つのサポートされた周波数ホッピング位置（例えば、ここで、スロット内ホッピング（intra-slot hopping）が可能にされる（enabled））を含むように定義され得る。一例では、ＤＭ−ＲＳパターンは、スロット内ホッピングが有効化されるかどうかに基づいて、チャネルフォーマットの（for）ハーフスロットごとに異なり得る。一例では、ＤＭ−ＲＳパターンは、スロット内ホッピングが有効化されるかどうかに関わらず、フォーマットのハーフスロットごとに等しくなり得る。加えて、例えば、デバイスは、決定されたドップラーモードに少なくとも部分的に基づいて、チャネルフォーマットを決定し得る。さらに、例えば、（例えば、符号分割多重化（ＣＤＭ）において）使用するための（to）、ユーザ多重化方式、拡散率、および／または直交カバーセットは、チャネルフォーマットに基づいて決定され得る。いずれの場合も、これらの例では、フレキシブルなチャネル設計は、動的チャネル持続期間を有するワイヤレス通信を提供されること（be provided for）が可能である。
【００２１】
[0030]  説明された特徴は、図１〜図９を参照して以下でより詳細に説明される。
【００２２】
[0031]  本出願で使用する「構成要素」、「モジュール」、「システム」などの用語は、限定はされないが、ハードウェア、ファームウェア、ハードウェアとソフトウェアの組み合わせ、ソフトウェア、または実行中のソフトウェアなどの、コンピュータ関連のエンティティを含むことを意図する。例えば、構成要素は、限定はされないが、プロセッサ上で実行されるプロセス、プロセッサ、オブジェクト、実行ファイル（an executable）、実行スレッド、プログラム、および／またはコンピュータであり得る。例として、コンピューティングデバイス上で実行されるアプリケーションと、そのコンピューティングデバイスの両方が構成要素であり得る。１つまたは複数の構成要素は、プロセスおよび／または実行スレッド内に常駐することができ、１つの構成要素は、１つのコンピュータ上に配置され（be localized）、および／または２つ以上のコンピュータ間に分散されることができる。さらに、これらの構成要素は、様々なデータ構造を記憶している様々なコンピュータ可読媒体から実行することができる。これらの構成要素（The components）は、１つまたは複数のデータパケットを有する信号を介して（by way of）、ローカルシステム中の、分散型システム中の、および／または他のシステムを用いるインターネットなどのネットワークにわたって（across）、別の（another）構成要素とインターラクトしている１つの構成要素からのデータなどの、その信号による（in accordance with）などのローカルプロセスおよび／またはリモートプロセスを介して通信することができる。
【００２３】
[0032]  本明細書で説明される技法は、ＣＤＭＡ、ＴＤＭＡ、ＦＤＭＡ、ＯＦＤＭＡ、ＳＣ−ＦＤＭＡ、および他のシステムなどの、様々なワイヤレス通信システムに使用され得る。「システム」および「ネットワーク」という用語は、しばしば互換的に使用され得る。ＣＤＭＡシステムは、ＣＤＭＡ２０００、ユニバーサル地上無線アクセス（ＵＴＲＡ）などのような無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００ １Ｘ、１Ｘなどと呼ばれる。ＩＳ−８５６（ＴＩＡ−８５６）は、一般に、ＣＤＭＡ２０００ １ｘＥＶ−ＤＯ、高速パケットデータ（High Rate Packet Data）（ＨＲＰＤ）などと呼ばれる。ＵＴＲＡは、ワイドバンドＣＤＭＡ（ＷＣＤＭＡ（登録商標））およびＣＤＭＡの他の変形を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２.１１（Ｗｉ−Ｆｉ）、ＩＥＥＥ８０２.１６（ＷｉＭＡＸ）、ＩＥＥＥ８０２.２０、フラッシュ−ＯＦＤＭ（登録商標）などのような無線技術を実装し得る。ＵＴＲＡおよびＥ−ＵＴＲＡは、ユニバーサルモバイル電気通信システム（ＵＭＴＳ）の一部分である。３ＧＰＰ（登録商標）ロングタームエボリューション（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）という名称の組織からの文書で説明されている。ＣＤＭＡ２０００およびＵＭＢは、「第３世代パートナーシッププロジェクト２」（３ＧＰＰ２）という名称の組織からの文書で説明されている。本明細書で説明された技法は、上述のシステムおよび無線技術、並びに他のシステムおよび無線技術のために使用され得、共有無線周波数スペクトルバンド上でのセルラ（例えば、ＬＴＥ）通信を含む。しかしながら、以下の説明は、例示のためにＬＴＥ／ＬＴＥ−Ａシステムを説明しており、以下の説明の大部分で、ＬＴＥ用語が使用されるが、それらの技法は、ＬＴＥ／ＬＴＥ−Ａアプリケーションを超えて（例えば、５Ｇネットワークまたは他の次世代通信システムに）適用可能である。
【００２４】
[0033]  以下の説明は、例を提供するものであり、特許請求の範囲に記載された範囲、適用可能性、または例を限定するものではない。本開示の範囲から逸脱することなく、説明される要素の機能および配列において変更がなされ得る。様々な例は、必要に応じて、様々なプロシージャまたはコンポーネントを省略、代用、あるいは追加し得る。例えば、説明される方法は、説明されるものとは異なる順序で行われ得、様々なステップが追加、省略、または組み合わせられ得る。また、いくつかの例に関して説明された特徴が、他の例で組み合わせられ得る。
【００２５】
[0034]  いくつかのデバイス、構成要素、モジュールなどを含むことができるシステムに関して、様々な態様または特徴が提示される。様々なシステムは、追加のデバイス、コンポーネント、モジュールなどを含み得ること、および／または図面に関連して論じられるデバイス、コンポーネント、モジュールなど全ては含まない可能性があることが理解および認識されるべきである。これらの手法の組み合わせもまた使用され得る。
【００２６】
[0035]  図１は、本開示の様々な態様に従った、ワイヤレス通信システム１００の例を図示する。ワイヤレス通信システム１００は、１つまたは複数の基地局１０５、１つまたは複数のＵＥ１１５、およびコアネットワーク１３０を含み得る。コアネットワーク１３０は、ユーザ認証、アクセス承認、追跡、インターネットプロトコル（ＩＰ）接続性、および他のアクセス、ルーティング、またはモビリティ機能を提供し得る。基地局１０５は、バックホールリンク１３２（例えば、Ｓ１など）を通してコアネットワーク１３０とインターフェースし得る。基地局１０５は、ＵＥ１１５との通信のためのスケジューリングおよび無線構成を行い得るか、または基地局コントローラ（図示せず）の制御下で動作し得る。様々な例では、基地局１０５は、ワイヤードまたはワイヤレス通信リンクであり得るバックホールリンク１３４（例えば、Ｘ２など）上で互いに直接的にまたは間接的に（例えば、コアネットワーク１３０を通して）通信し得る。
【００２７】
[0036]  基地局１０５は、１つまたは複数の基地局アンテナを介してＵＥ１１５とワイヤレスに通信し得る。基地局１０５の各々は、それぞれの地理的カバレッジエリア１１０に対して（for）通信カバレッジを提供し得る。いくつかの例では、基地局１０５は、ネットワークエンティティ、トランシーバ基地局（a base transceiver station）、無線基地局、アクセスポイント、無線トランシーバ、ノードＢ、ｅノードＢ（ｅＮＢ）、ホームノードＢ、ホームｅノードＢ、または何らかの他の適切な専門用語で呼ばれ得る。基地局１０５についての地理的カバレッジエリア１１０は、カバレッジエリアの一部分のみを構成するセクタ（図示せず）に分割され得る。ワイヤレス通信システム１００は、異なるタイプの基地局１０５（例えば、マクロまたはスモールセル基地局）を含み得る。異なる技術に関してオーバーラップしている地理的カバレッジエリア１１０が存在し得る。
【００２８】
[0037]  いくつかの例では、ワイヤレス通信ネットワークシステム１００は、ロングタームエボリューション（ＬＴＥ）またはＬＴＥ−Ａｄｖａｎｃｅｄ（ＬＴＥ−Ａ）ネットワークであり得るか、それらを含み得る。ワイヤレス通信システム１００はまた、５Ｇワイヤレス通信ネットワークなどの次世代ネットワークであり得る。ＬＴＥ／ＬＴＥ−Ａネットワークでは、発展型ノードＢ（ｅＮＢ）、ｇＮＢなどの用語は、概して基地局１０５を説明するために使用され得、一方ＵＥという用語は、概してＵＥ１１５を説明するために使用され得る。ワイヤレス通信システム１００は、異なるタイプのｅＮＢが様々な地理的領域のためのカバレッジを提供する異種ＬＴＥ／ＬＴＥ−Ａネットワークであり得る。例えば、各ｅＮＢまたは基地局１０５は、マクロセル、スモールセル、または他のタイプのセルのために通信カバレッジを提供し得る。「セル」という用語は、コンテキストに依存して、基地局、基地局に関連付けられたキャリアまたはコンポーネントキャリア、あるいはキャリアまたは基地局のカバレッジエリア（例えば、セクタなど）を説明するために使用されることができる、３ＧＰＰの用語である。
【００２９】
[0038]  マクロセルは、比較的広い地理的エリア（例えば、半径数キロメートル）をカバーし得、ネットワークプロバイダにサービス加入しているＵＥ１１５による無制限のアクセスを可能にし得る。
【００３０】
[0039]  スモールセルは、マクロセルと同じまたは異なる（例えば、ラインセンス、アンライセンスなどの）周波数帯域で動作し得る、マクロセルと比較してより低い電力の基地局を含み得る。スモールセルは、様々な例によると、ピコセル、フェムトセル、およびマイクロセルを含み得る。例えば、ピコセルは、狭い地理的エリアをカバーし得、ネットワークプロバイダにサービス加入しているＵＥ１１５による無制限のアクセスを可能にし得る。フェムトセルもまた、小さい地理的エリア（例えば、家）をカバーし、フェムトセルとの関連付けを有するＵＥ１１５（例えば、クローズド加入者グループ（ＣＳＧ）中のＵＥ１１５、家の中にいるユーザのためのＵＥ１１５など）による制限されたアクセスを提供し得る。マクロセルのためのｅＮＢはマクロｅＮＢ、ｇＮＢなどと呼ばれ得る。スモールセルのためのｅＮＢは、スモールセルｅＮＢ、ピコｅＮＢ、フェムトｅＮＢ、またはホームｅＮＢと呼ばれ得る。ｅＮＢは、１つまたは複数（例えば、２つ、３つ、４つなど）のセル（例えば、コンポーネントキャリア）をサポートし得る。
【００３１】
[0040]  様々な開示された例のうちのいくつかに順応し得る通信ネットワークは、レイヤードプロトコルスタックに従って動作するパケットベースのネットワークであり得、ユーザプレーンにおけるデータは、ＩＰに基づき得る。パケットデータコンバージェンスプロトコル（ＰＤＣＰ）レイヤは、ＩＰパケットのヘッダ圧縮、暗号化、品質保護などを提供し得る。無線リンク制御（ＲＬＣ：Radio Link Control）レイヤは、論理チャネル上で通信するために、パケットのセグメント化および再構成を行い得る。ＭＡＣレイヤは、優先処理（priority handling）、およびトランスポートチャネルへの論理チャネルの多重化を行い得る。ＭＡＣレイヤはまた、リンク効率を改善するために、ＭＡＣレイヤにおいて再送を提供するＨＡＲＱを使用し得る。制御プレーンでは、無線リソース制御（ＲＲＣ）プロトコルレイヤは、ＵＥ１１５と基地局１０５との間のＲＲＣ接続の確立、構成および管理を提供し得る。ＲＲＣプロトコルレイヤはまた、ユーザプレーンデータのための無線ベアラをサポートするコアネットワーク１３０のためにも使用され得る。物理（ＰＨＹ）レイヤにおいて、トランスポートチャネルは、物理チャネルにマッピングされ得る。
【００３２】
[0041]  ＵＥ１１５は、ワイヤレス通信システム１００全体にわたって分散され、各ＵＥ１１５は、固定式または移動式であり得る。ＵＥ１１５はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれるか、またはそれらを含み得る。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、エンターテインメントデバイス、車両構成要素などであり得る。ＵＥは、マクロｅＮＢ、スモールセルｅＮＢ、中継基地局などを含む様々なタイプの基地局およびネットワーク機器と通信することが可能であり得る。
【００３３】
[0042]ワイヤレス通信システム１００中に示される通信リンク１２５は、ＵＥ１１５から基地局１０５にアップリンク（ＵＬ）送信を、または基地局１０５からＵＥ１１５にダウンリンク（ＤＬ）送信を搬送し得る。ダウンリンク送信は順方向リンク送信とも呼ばれ得、一方、アップリンク送信は逆方向リンク送信とも呼ばれ得る。各通信リンク１２５は、１つまたは複数のキャリアを含み得、ここで、各キャリアは、上述された様々な無線技術に従って変調された複数のサブキャリア（例えば、異なる周波数の波形信号）から構成される信号であり得る。各変調された信号は、異なるサブキャリア上で送られ、制御情報（例えば、基準信号、制御チャネルなど）、オーバ−ヘッド情報、ユーザデータなどを搬送し得る。通信リンク１２５は、（例えば、ペアのスペクトルリソースを使用した）周波数分割複信（ＦＤＤ）、または（例えば、ペアになっていないスペクトルリソースを使用した）時分割複信（ＴＤＤ）動作を使用して、双方向通信を送信し得る。フレーム構造が、ＦＤＤ（例えば、フレーム構造タイプ１）およびＴＤＤ（例えば、フレーム構造タイプ２）のために定義され得る。
【００３４】
[0043]  ワイヤレス通信システム１００のいくつかの態様では、基地局１０５またはＵＥ１１５は、基地局１０５とＵＥ１１５との間の通信品質および信頼性を改善するためにアンテナダイバーシティスキームを用いるための複数のアンテナを含み得る。追加的にまたは代替的に、基地局１０５またはＵＥ１１５は、同じまたは異なるコード化されたデータを搬送する複数の空間レイヤを送信するためにマルチパス環境を活用し（take advantage of）得る、多入力多出力（ＭＩＭＯ）技法を用い得る。
【００３５】
[0044]  ワイヤレス通信システム１００は、複数のセルまたはキャリア上での動作をサポートし得、その特徴は、キャリアアグリゲーション（ＣＡ）またはマルチキャリア動作と呼ばれ得る。キャリアはまた、コンポーネントキャリア（ＣＣ）、レイヤ、チャネルなどと呼ばれ得る。「キャリア」、「コンポーネントキャリア」、「セル」、および「チャネル」という用語は、本明細書で交換可能に使用され得る。ＵＥ１１５は、キャリアアグリゲーションのために、複数のダウンリンクＣＣと、１つまたは複数のアップリンクＣＣとで構成され得る。キャリアアグリゲーションは、ＦＤＤコンポーネントキャリアとＴＤＤコンポーネントキャリアとの両方で使用され得る。
【００３６】
[0045]  一例では、基地局１０５は、ＵＥ１１５とのワイヤレス通信を容易にするために、１つまたは複数のＵＥ１１５へのスケジューリングリソースのためのスケジューリングコンポーネント２４０を含み得、ＵＥ１１５は、リソース上で基地局１０５とスケジューリングしかつ適宜（accordingly）通信するリソースを受信するための通信コンポーネント３４０を含み得る。スケジューリングコンポーネント２４０は、例えば、１つまたは複数のスロットにおいてアップリンク通信を送信するためのアップリンクチャネル持続期間をＵＥ１１５に割り振る（allocate）ように構成され得、ここで、スロットは、連続するいくつかのシンボル（例えば、１４個のシンボル）を含み得、直交周波数分割（ＯＦＤＭ）シンボル、シングルキャリア周波数分割多重化（ＳＣ−ＦＤＭ）シンボル、または同様のものを含み得る。加えて、スケジューリングコンポーネント２４０および／または通信コンポーネント３４０は、アップリンク通信のペイロードサイズに少なくとも部分的に基づいて、チャネル持続期間中にアップリンク通信を送信するための、複数の（multiple）起こり得るアップリンクチャネルフォーマットのうちの１つを選択することができる。任意のケースでは、通信コンポーネント３４０は、割り振られたチャネル持続期間中にアップリンク通信を送信する際に使用するためにチャネルフォーマットの一部分を選択し得（can）、チャネルフォーマットの選択された部分に少なくとも部分的に基づいて、基地局１０５にアップリンク通信を適宜（accordingly）送信し得る。
【００３７】
[0046]  図２〜図９を参照すると、態様は、本明細書で説明されるアクションまたは処理を行い得る１つまたは複数のコンポーネントおよび１つまたは複数の方法を参照して描かれ、ここで、破線での態様は、任意であり得る。図４〜図５において下記に説明される動作は、特定の順序で表される、および／またはコンポーネントの例によって行われる（as being）が、アクションの順序およびアクションを行うコンポーネントは実装に依存して変化し得ることが理解されるべきである。さらに、下記のアクション、機能、および／または説明されるコンポーネントは、特別にプログラムされたプロセッサ、特別にプログラムされたソフトウェアまたはコンピュータ可読媒体を実行するプロセッサによって、あるいは説明されるアクションまたは機能を行うことができるハードウェアコンポーネントおよび／またはソフトウェアコンポーネントの任意の他の組み合わせによって、行われ得ることが理解されるべきである。
【００３８】
[0047]  図２を参照すると、ブロック図２００は、通信リンク１２５を介して基地局１０５と通信状態にある複数のＵＥ１１５を有するワイヤレス通信システムの一部分を含むことを示しており、ここで、基地局１０５はまた、ネットワーク２１０と通信可能に結合されている。ＵＥ１１５は、割り振られたアップリンクチャネル持続期間に少なくとも部分的に基づいて選択されたチャネルフォーマットの一部分に従って、アップリンク通信を送信するように構成される、本開示で説明されるＵＥの例であり得る。さらに、基地局１０５は、チャネルフォーマットに基づいてＵＥがアップリンク通信を送信する際に利用するためのアップリンクチャネル持続期間を割り振るように構成された、本開示で説明される基地局の例（例えば、ｅＮＢ、ｇＮＢなど）であり得る。
【００３９】
[0048]  一態様では、図２における基地局は、本開示で説明される機能、方法（例えば、図５の方法５００）、または他の方法を行うために、スケジューリングコンポーネント２４０との組み合わせで動作し得る１つまたは複数のプロセッサ２０５および／またはメモリ２０２を含み得、それは、１つまたは複数のＵＥ１１５のための通信リソースをスケジューリングすることを含み得る。本開示によると、スケジューリングコンポーネント２４０は、１つまたは複数のＵＥ１１５にアップリンクチャネル持続期間を割り当てるためのチャネル持続期間コンポーネント２４２と、ＵＥ１１５にアップリンクチャネルフォーマットに関連する１つまたは複数のパラメータを示すための、および／または、アップリンク通信のペイロードサイズに基づいて選択されたアップリンクチャネルフォーマットのインジケーションをＵＥ１１５から受信するための任意の（optional）チャネルフォーマットコンポーネント２４４とを含み得る。
【００４０】
[0049]  １つまたは複数のプロセッサ２０５は、１つまたは複数のモデムプロセッサを使用するモデム２２０を含み得る。スケジューリングコンポーネント２４０、および／またはそれらの（thereof）サブコンポーネントに関する様々な機能は、モデム２２０および／またはプロセッサ２０５に含まれ得、一態様では、単一のプロセッサによって実行されることができる一方で、他の態様では、それら機能のうちの異なる複数のものは、２つ以上の異なるプロセッサの組み合わせによって実行され得る。例えば、一態様では、１つまたは複数のプロセッサ２０５は、モダンプロセッサ、ベースバンドプロセッサ、またはデジタルシグナルプロセッサ、または送信プロセッサ、またはトランシーバ２７０に関連するトランシーバプロセッサ、またはシステムオンチップ（ＳｏＣ）のうちの任意の１つ、またはそれらの任意の組み合わせを含み得る。具体的には、１つまたは複数のプロセッサ２０５は、スケジューリングコンポーネント２４０に含まれる機能およびコンポーネントを実行し得る。
【００４１】
[0050]  いくつかの例では、スケジューリングコンポーネント２４０およびサブコンポーネントの各々は、ハードウェア、ファームウェア、および／またはソフトウェアを備え得、コードを実行するか、またはメモリ（例えば、以下で説明されるメモリ２０２などのコンピュータ可読記憶媒体）に記憶された命令を行うように構成され得る。さらに、一態様では、図２中の基地局１０５は、無線送信を受信し、かつ例えばＵＥ１１５にそれを送信するための、無線周波数（ＲＦ）フロントエンド２９０およびトランシーバ２７０を含み得る。トランシーバ２７０は、スケジューリングコンポーネント２４０のための信号を受信するか、またはそれによって生成された信号をＵＥ１１５に送信するために、モデム２２０と協調（coordinate）し得る。ＲＦフロントエンド２９０は、１つまたは複数のアンテナ２７３と通信可能に結合され得、アップリンクチャネルおよびダウンリンクチャネル上のＲＦ信号を送信および受信するための、１つまたは複数のフィルタ２９３、１つまたは複数の増幅器（例えば、電力増幅器（ＰＡ）２９４および／または低雑音増幅器２９１）、および１つまたは複数のスイッチ２９２を含み得る。一態様では、ＲＦフロントエンド２９０のコンポーネントは、トランシーバ２７０と通信可能に結合され得る。トランシーバ２７０は、モデム２２０およびプロセッサ２０５のうちの１つまたは複数と通信可能に結合され得る。
【００４２】
[0051]  トランシーバ２７０は、ＲＦフロントエンド２９０を介してアンテナ２７３を通じてワイヤレス信号を（例えば、送信機（ＴＸ）無線２７５を介して）送信し、（例えば、受信機（ＲＸ）無線２８０を介して）受信するように構成され得る。一態様では、トランシーバ２７０は、基地局１０５が、例えばＵＥ１１５と通信することができるように、特定の（specified）周波数で動作するように調整され（be tuned）得る。一態様では、例えば、モデム２２０は、基地局１０５の構成とモデム２２０によって使用される通信プロトコルに基づいて特定の周波数および電力レベルで動作するように、トランシーバ２７０を構成することができる。
【００４３】
[0052]  図２中の基地局１０５は、本明細書で使用されるデータを記憶するためなどのメモリ２０２、および／またはアプリケーションのローカルバージョンまたはスケジューリングコンポーネント２４０、および／またはプロセッサ２０５によって実行されるそれのサブコンポーネントのうちの１つまたは複数をさらに含み得る。メモリ２０２は、ランダムアクセスメモリ（ＲＡＭ）、読み取り専用メモリ（ＲＯＭ）、テープ、磁気ディスク、光ディスク、揮発性メモリ、不揮発性メモリ、およびそれらの任意の組み合せなどの、コンピュータまたはプロセッサ２０５によって使用可能な任意のタイプのコンピュータ可読媒体を含むことができる。一態様では、例えば、メモリ２０２は、スケジューリングコンポーネント２４０および／またはそれのサブコンポーネントのうちの１つまたは複数を定義する１つまたは複数のコンピュータ実行可能なコードを記憶する、コンピュータ可読記憶媒体であり得る。追加的にまたは代替的に、基地局１０５は、ＲＦフロントエンド２９０、トランシーバ２７４、メモリ２０２、またはプロセッサ２０５のうちの１つまたは複数を通信可能に結合し、かつコンポーネントの各々と基地局１０５のサブコンポーネントとの間でシグナリング情報を交換するバス２１１を含み得る。
【００４４】
[0053]  一態様では、プロセッサ２０５は、図９中の基地局に関して説明される複数のプロセッサのうちの１つまたは複数に対応し得る。同様に、メモリ２０２は、図９中の基地局に関して説明されたメモリに対応し得る。
【００４５】
[0054]  図３を参照すると、ブロック図３００は、通信リンク１２５を介して基地局１０５と通信状態にある複数のＵＥ１１５を有するワイヤレス通信システムの一部分を含むことを示し、ここで、基地局１０５はまた、ネットワーク２１０に通信可能に結合されている。ＵＥ１１５は、割り振られたアップリンクチャネル持続期間に少なくとも部分的に基づいて選択されたチャネルフォーマットの一部分に従って、アップリンク通信を送信するように構成された、本開示で説明されるＵＥの例であり得る。さらに、基地局１０５は、チャネルフォーマットに基づいてＵＥがアップリンク通信を送信する際に利用するためのアップリンクチャネル持続期間を割り振ように構成された、本開示で説明される基地局の例（例えば、ｅＮＢ、ｇＮＢなど）であり得る。
【００４６】
[0055]  一態様では、図３中のＵＥ１１５は、本開示で提示される機能、方法（例えば、図４の方法４００）、または他の方法を行うために、通信コンポーネント３４０に関して（in combination with）動作し得る、１つまたは複数のプロセッサ３０５および／またはメモリ３０２を含み得る。本開示によると、通信コンポーネント３４０は、アップリンク通信を送信するためのチャネルフォーマットを決定するためのチャネルフォーマットコンポーネント３４２を含み得、ここで、チャネルフォーマットは、ＵＥ１１５においてアップリンク通信のペイロードサイズに基づいて選択され得る、および／またはアップリンク通信を送信するための基地局１０５によって割り振られるアップリンクチャネル持続期間を決定するためのチャネル持続期間コンポーネント３４４を含み得る。
【００４７】
[0056]  １つまたは複数のプロセッサ３０５は、１つまたは複数のモデムプロセッサを使用するモデム３２０を含み得る。通信コンポーネント３４０、および／またはそれらのサブコンポーネントに関する様々な機能は、モデム３２０および／またはプロセッサ３０５に含まれ得、一態様では、単一のプロセッサによって実行されることができるが、一方で他の態様では、それら機能のうちの異なる複数のものは、２つ以上の異なるプロセッサの組み合わせによって実行され得る。例えば、一態様では、１つまたは複数のプロセッサ３０５は、モデムプロセッサ、またはベースバンドプロセッサ、またはデジタルシグナルプロセッサ、または送信プロセッサ、またはトランシーバ３７０に関連するトランシーバプロセッサ、またはシステムオンチップ（ＳｏＣ）のうちの任意の１つ、またはそれらの任意の組み合わせを含み得る。具体的には、１つまたは複数のプロセッサ３０５は、通信コンポーネント３４０に含まれる機能およびコンポーネントを実行し得る。
【００４８】
[0057]  いくつかの例では、通信コンポーネント３４０およびサブコンポーネントの各々は、ハードウェア、ファームウェア、および／またはソフトウェアを備え得、コードを実行するか、またはメモリ（例えば、以下で説明されるメモリ３０２などのコンピュータ可読記憶媒体）に記憶された命令を行うように構成され得る。さらに、一態様では、図３中のＵＥ１１５は、例えば、無線送信を受信し、かつ例えば基地ＵＥ１０５にそれを送信するための、ＲＦフロントエンド３９０およびトランシーバ３７０を含み得る。トランシーバ３７０は、通信コンポーネント３４０によって受信されるようなパケットを含む信号を受信するためのモデム３２０と協調し得る。ＲＦフロントエンド３９０は、１つまたは複数のアンテナ３７３と通信可能に結合され得、アップリンクチャネルおよびダウンリンクチャネル上でＲＦ信号を送信および受信するための、１つまたは複数のフィルタ３９３、１つまたは複数の増幅器（例えば、ＰＡ３９４および／またはＬＮＡ３９１）、および１つまたは複数のスイッチ３９２を含み得る。一態様では、ＲＦフロントエンド３９０のコンポーネントは、トランシーバ３７０と通信可能に結合され得る。トランシーバ３７０は、モデム３２０およびプロセッサ３０５のうちの１つまたは複数と通信可能に結合され得る。
【００４９】
[0058]  トランシーバ３７０は、ＲＦフロントエンド３９０を介してアンテナ３７３を通じてワイヤレス信号を（例えば、送信機（ＴＸ）無線３７５を介して）送信し、（例えば、受信機（ＲＸ）無線３８０を介して）受信するように構成され得る。一態様では、トランシーバ３７０は、ＵＥ１１５が、例えば基地局１０５と通信することができるように、特定の周波数で動作するように調整され得る。一態様では、例えば、モデム３２０は、ＵＥ１１５の構成とモデム３２０によって使用される通信プロトコルに基づいて特定の周波数および電力レベルで動作するように、トランシーバ３７０を構成することができる。
【００５０】
[0059]  図３中のＵＥ１１５は、本明細書で使用されるデータを記憶するためなどのメモリ３０２、および／またはアプリケーションのローカルバージョンまたは通信コンポーネント３４０、および／またはプロセッサ３０５によって実行されるそれのサブコンポーネントのうちの１つまたは複数をさらに含み得る。メモリ３０２は、ＲＡＭ、ＲＯＭ、テープ、磁気ディスク、光ディスク、揮発性メモリ、不揮発性メモリ、およびそれらの任意の組み合せなどの、コンピュータまたはプロセッサ３０５によって使用可能な任意のタイプのコンピュータ可読媒体を含むことができる。一態様では、例えば、メモリ３０２は、通信コンポーネント３４０および／またはそれのサブコンポーネントのうちの１つまたは複数を定義する１つまたは複数のコンピュータ実行可能なコードを記憶する、コンピュータ可読記憶媒体であり得る。追加的にまたは代替的に、ＵＥ１１５は、ＲＦフロントエンド３９０、トランシーバ３７４、メモリ３０２、またはプロセッサ３０５のうちの１つまたは複数を通信可能に結合するための（for）、かつコンポーネントの各々とＵＥ１１５のサブコンポーネントとの間でシグナリング情報を交換するための（to）、バス３１１を含み得る。
【００５１】
[0060]  一態様では、プロセッサ３０５は、図９中のＵＥに関して説明される複数のプロセッサのうちの１つまたは複数に対応し得る。同様に、メモリ３０２は、図９中のＵＥに関して説明されたメモリに対応し得る。
【００５２】
[0061]  図４は、選択されたアップリンクチャネルフォーマットに基づいてアップリンクチャネル持続期間に（in）アップリンク通信を（例えば、ＵＥによって）送信するための方法４００の例のフローチャートを図示する。方法４００では、破線のボックスで示されているブロックは、任意のステップを表し得る。
【００５３】
[0062]  方法４００では、ブロック４０２において、スロット中でアップリンク通信を送信するためのチャネルフォーマットが決定され得、ここで、チャネルフォーマットは、少なくともペイロードサイズに基づいている。一態様では、チャネルフォーマットコンポーネント３４２は、例えば、プロセッサ３０５、メモリ３０２、トランシーバ３７０、および／または通信コンポーネント３４０に関連して、スロット中でアップリンク通信を送信するためのチャネルフォーマットを決定し得、ここで、チャネルフォーマットは、アップリンク通信の少なくともペイロードサイズに基づいている。例えば、チャネルフォーマットコンポーネント３４２は、アップリンクチャネルフォーマットが複数の起こり得る（possible）チャネルフォーマットのうちの１つであり得るアップリンク通信を送信するための（for）アップリンクチャネルフォーマットを決定し得る。一例では、複数のチャネルフォーマットは、対応するペイロードサイズ、および／または他のチャネル状態（例えば、ドップラーモード）に関して定義され得、ＤＭ−ＲＳシンボルの固定パターン、構成されたときに周波数ホッピングを行うための（例えば、シンボル境界での）ホッピング位置、１つまたは複数の固定のまたはフレキシブルな多重化方式、および／または同様のものを各々含み得る。よって、例えば、アップリンク通信のペイロードサイズを考慮して（given）、チャネルフォーマットは、アップリンク通信を適合させる（accommodate）ために選択され得る。
【００５４】
[0063]  一例では、（ペイロードサイズに基づいて）どのチャネルフォーマットを使用すべきかを決定するためのパラメータおよび／またはチャネルフォーマットは、（例えば、ＲＲＣまたは他の上位レイヤシグナリング、ＵＥ１１５についての専用制御情報、基地局１０５からのブロードキャスト信号を使用して）基地局１０５によってＵＥ１１５で構成され得る。よって、一例では、ＵＥ１１５は、基地局１０５からチャネルフォーマットに関する構成を受信し得る。別の例では、チャネルフォーマットに関するパラメータは、他の方法で（otherwise）ＵＥ１１５のメモリ３０２中で構成され得る。チャネルフォーマット６００、６０２、６０４の例が、図６に図示される。
【００５５】
[0064]  例えば、図６に示されるように、チャネルフォーマット６００は、ｘビット（例えば、ｘ＝２）よりも小さい（および／またはそれに等しい）、および／またはペイロードがアップリンク制御データのためのものであるといった、小さいペイロードサイズをサポートし得る。チャネルフォーマット６００は、時間領域中に多重化された、ＤＭ−ＲＳシンボルとデータシンボルとの交互の（alternating）ＤＭ−ＲＳパターンを含み得、それは、少なくともスロット内の小さいペイロードを送信するのに十分なシンボルを含み得る。一例では、チャネルフォーマット６００は、ＤＭ−ＲＳに関しての開始シンボルを指定し得る。例えば、異なるＤＭ−ＲＳパターンは、スロット内周波数ホッピング（intra-slot frequency  hopping）が構成されるかどうかに基づいて存在し得る。例えば、周波数ホッピングが構成される場合（where）、チャネルフォーマット６００は、第１の周波数に関連付けられたハーフスロット６１０と、第２の周波数に関連付けられた別のハーフスロット６１２とを含み得る。ハーフスロット６１０、６１２の各々は、ＤＭ−ＲＳシンボルとデータシンボルとの交互のＤＭ−ＲＳパターンを有し得、これは（which）ハーフスロットごとに３つのＤＭ−ＲＳシンボルをもたらし得る。別の例では、スロット内周波数ホッピングが構成されない場合、チャネルフォーマット６００は、ＤＭ−ＲＳシンボルとデータシンボルとを交互に有するＤＭ−ＲＳパターンを用いたスロット６１４で指示され（be specified over）得、これはスロットごとに７つのＤＭ−ＲＳシンボルをもたらし得る。別の例では、スロット内周波数ホッピングが構成されない場合、チャネルフォーマット６００は、スロット内ホッピングを有するスロット６１０のような、ハーフスロットごとに同じＤＭ−ＲＳパターンを有するスロット６１４で指示され得、スロットごとに６つのＤＭ−ＲＳシンボルをもたらし得る。別の例では、ＤＭ−ＲＳパターンは、ＰＵＣＣＨ持続期間中で比較的固定され（fixed relatively）得る。例えば、ＤＭ−ＲＳシンボルとデータシンボルとの交互のＤＭ−ＲＳパターンは、ＰＵＣＣＨ持続期間が常にＤＭ−ＲＳである際に、第１のシンボルを用いて使用され得る（a DM-RS pattern of alternating DM-RS symbols and data symbols may be used with the first symbol in the PUCCH duration is always DM-RS）。このケースでは、ＤＭ−ＲＳシンボルインデックスは、スロット内に固定されない。例えば、ＰＵＣＣＨ持続期間がシンボル２からシンボル１０にわたる場合、ＤＭ−ＲＳシンボルは、２、４、６、８、および１０であり得る。別の例では、ＰＵＣＣＨ持続期間がシンボル３からシンボル１０にわたる場合、ＤＭ−ＲＳシンボルは、３、５、７、９であり得る。代替的に、ＤＭ−ＲＳシンボルとデータシンボルとの交互のＤＭ−ＲＳパターンは、ＰＵＣＣＨ持続期間が常にデータシンボルである際に、第１のシンボルを用いて使用され得る。一例では、チャネルフォーマットは、周波数ホッピングが有効化されるかどうかに基づき得る（例えば、各スロットがチャネルフォーマット６００に描かれるような、ＤＭ−ＲＳシンボルで開始し得る）。別の例では、チャネルフォーマットは、周波数ホッピングが有効化されるかどうかに基づかない可能性がある（may not）（例えば、同一のＰＵＣＣＨ持続期間のＤＭ−ＲＳシンボルは、周波数ホッピングが有効化されるかどうかに関わらず、同一であり得る）。加えて、例えば、チャネルフォーマット６００は、異なるサイクリックシフトを用いて、Ｃｈｕシーケンス、コンピュータ生成シーケンス（ＣＧＳ：computer generated sequence）などを使用して、シンボルごとの多重化（per symbol multiplexing）に関連付けられ得る。任意のケースでは、例えば、チャネルフォーマットコンポーネント３４２は、アップリンク通信のペイロードサイズが小さいサイズである（例えば、２ビットよりも小さい（および／またはそれに等しい））と決定すること（determining）に基づいて、チャネルフォーマット６００または同様のチャネルフォーマットを使用すると決定し得る。
【００５６】
[0065]  さらに、一例では、チャネルフォーマット６００は、本明細書でさらに説明されるように、アップリンク通信のＣＤＭを行うことに関連する１つまたは複数のパラメータがアップリンクチャネル持続期間に基づいて暗黙的に導出され得るように、異なる直交カバーを用いたフレキシブルなマルチシンボル多重化に関連付けられ得る。一例では、１つまたは複数のパラメータは、拡散率（spreading factors）、直交カバーセット、および／または同様のものを含み得る。例えば、スロット内ホッピングが構成される場合、１４シンボルのチャネル持続期間に関して、ＵＥ１１５は、ＤＭ−ＲＳシンボルを多重化するためにＤＦＴ３を使用し、データシンボルを多重化するためにアダマール４コードを使用し得る。別の例では、スロット内ホッピングが構成される場合、１〜５シンボルのチャネル持続期間に関して、ＤＭ−ＲＳシンボルを多重化するためにアダマール２が使用され得、データシンボルを多重化するためにＤＦＴ３が使用され得る。別の例では、スロット内ホッピングが構成される場合、６〜１０シンボルのチャネル持続期間に関して、拡散は構成され得ない（there may be no spreading configured）。一例では、基地局１０５は、ＵＥ１１５をスケジューリングする際にＦＤＭのみが使用されない場合（unless only FDM is used）、異なるアップリンクチャネル持続期間を用いてスケジューリングされるＵＥがオーバーラップしないことを保証するためにＵＥ１１５をスケジューリングし得る（これにより同じシンボル中で送信している異なるＣＤＭパラメータを使用しているＵＥが発生し得るため（as this may result in UEs using different CDM parameters transmitting in the same symbol））。別の例では、マルチシンボル多重化は、いくつかのチャネル持続期間（例えば、第１のハーフスロットまたは第２のハーフスロットまたはそれら両方のスロットにわたるとき）に関して有効化され、その他のものに関しては無効化され得る。別の例では、マルチシンボル多重化は、例えば、４の倍数であるシンボルインデックスで始まるＤＭ−ＲＳ拡散、または４の倍数＋１であるシンボルインデックスで始まるデータシンボル拡散などの、固定ＣＤＭグループ境界を有し得る。
【００５７】
[0066]  別の例では、チャネルフォーマット６０２は、ｘビットとｙビット（例えば、ｙ＝２２）との間などの中間ペイロードサイズをサポートし得る。チャネルフォーマット６０２は、３つまたは４つのシンボルを有するＤＭ−ＲＳパターンを含み得る。例えば、異なるＤＭ−ＲＳパターンは、スロット内周波数ホッピングが構成されるかどうかに基づいて存在し得る。例えば、周波数ホッピングが構成される場合、チャネルフォーマット６０２は、第１の周波数に関連付けられたハーフスロット６２０と、第２の周波数に関連付けられた別のハーフスロット６２２とを含み得る。各ハーフスロット６２０、６２２は、２つのＤＭ−ＲＳシンボル（例えば、ハーフスロット６２０におけるシンボル４、６、およびハーフスロット６２２におけるシンボル９、１２（または１１））と、データシンボルとしての残りのシンボルとの固定ＤＭ−ＲＳパターンを有し得る。別の例では、スロット内周波数ホッピングが構成されない場合、チャネルフォーマット６０２は、３つまたは４つのＤＭ−ＲＳシンボル（例えば、３つのＤＭ−ＲＳシンボルのためのシンボル４、７（または８）、１２（または１１）、４つのＤＭ−ＲＳシンボルのためのシンボル４、６、９、１２（または１１）など）と、データシンボルとしての残りのシンボルとを有する固定ＤＭ−ＲＳパターンを用いてスロット６２４上で指示され（be specified）得る。特定のシンボルがＤＭ−ＲＳのために使用されるように示されているが、他のシンボルは、所望されたチャネル推定パフォーマンスを達成するために同様に使用され得る（could）。加えて、例えば、チャネルフォーマット６０２は、異なるサイクリックシフト、プレＤＦＴ拡散、および／または同様のものを用いて、Ｃｈｕシーケンス、コンピュータ生成シーケンス（ＣＧＳ）などを使用して、シンボルごとの多重化に関連付けられ得る。拡散率が構成可能であり得る。一例では、１つの拡散率（a spreading factor of one）は、シンボルごとの多重化を無効化するために使用され得る（またはそれと同じようにし得る）。
【００５８】
[0067]  別の例では、チャネルフォーマット６０４は、ｙビットよりも大きいものなどの、大きいペイロードサイズをサポートし得る。チャネルフォーマット６０４は、１または２シンボルを有するＤＭ−ＲＳパターンを含み得る。例えば、異なるＤＭ−ＲＳパターンは、スロット内周波数ホッピングが構成されるかどうかに基づいて存在し得る。例えば、周波数ホッピングが構成される場合、チャネルフォーマット６０４は、第１の周波数に関連付けられたハーフスロット６３０と、第２の周波数に関連付けられた別のハーフスロット６３２とを含み得る。各ハーフスロット６３０、６３２は、１つのＤＭ−ＲＳシンボル（例えば、ハーフスロット６３０におけるシンボル４、５、およびハーフスロット６３２におけるシンボル１１または１２）と、データシンボルとしての残りのシンボルとの固定ＤＭ−ＲＳパターンを有し得る。別の例では、スロット内周波数ホッピングが構成されない場合、チャネルフォーマット６０２は、１つまたは２つのＤＭ−ＲＳシンボル（例えば、１つのＤＭ−ＲＳシンボルのためのシンボル７または８、２つのＤＭ−ＲＳシンボルのためのシンボル４（または５）、１１（または１２））と、データシンボルとしての残りのシンボルとを有する固定ＤＭ−ＲＳパターン用いてスロット６３４上で指示され得る。加えて、例えば、チャネルフォーマット６０４は、プレＤＦＴ拡散、および／または同様のものを使用して、シンボルごとの多重化に関連付けられ得る。拡散率が構成可能であり得る。一例では、１つの拡散率は、シンボルごとの多重化を無効化するために使用され得る（またはそれと同じようにし得る）。
【００５９】
[0068]  従って、上記に提示される例では、チャネルフォーマットコンポーネント３４２は、チャネルフォーマット６００、６０２、６０４のうちの１つを使用することを決定し得、ここで、チャネルフォーマットは、基地局１０５に送信されるべき（to）アップリンク通信のペイロードサイズに基づいて選択される。一例では、チャネルフォーマットコンポーネント３４２は、ペイロードサイズがｘビットよりも小さい場合チャネルフォーマット６００を、ペイロードサイズがｘビットとｙビットとの間にある場合チャネルフォーマット６０２を、またはペイロードサイズがｙビットよりも大きい場合チャネルフォーマット６０４を選択し得る。別の例では、基地局１０５は、ＵＥ１１５から受信された示されたペイロードサイズ（あるいは、例えば、バッファステータスレポートまたは送信されるべきアップリンクデータの他のインジケーション）に基づいてチャネルフォーマットを選択し得、基地局１０５は、（例えば、ダウンリンク専用制御シグナリング（dedicated downlink control signaling）、ＲＲＣレイヤシグナリングなどのような上位レイヤシグナリングにおいて）選択されたチャネルフォーマットのインジケーションをＵＥ１１５に送信し得る。
【００６０】
[0069]  一例では、ブロック４０２においてチャネルフォーマットを決定することは、オプションで、ブロック４０４において、スロット内周波数ホッピングが構成されるかどうかを決定することを含み得る。一態様では、チャネルフォーマットコンポーネント３４２は、例えば、プロセッサ３０５、メモリ３０２、トランシーバ３７０、および／または通信コンポーネント３４０に関連して、スロット内周波数ホッピングが構成されるかどうかを決定し得る。例えば、基地局１０５は、（例えば、周波数ホッピングを有効化することを示す、無線リソース制御（ＲＲＣ）レイヤシグナリングなどのような上位レイヤシグナリング、ダウンリンク専用制御シグナリングを送信することによって）ＵＥ１１５のためのスロット内周波数ホッピングを構成し得る。この例では、チャネルフォーマットコンポーネント３４２は、基地局１０５からのインジケーションを受信し得る。任意のケースでは、例えば、チャネルフォーマットコンポーネント３４２は、使用する（to）チャネルフォーマットを適宜決定し得、それは、その決定に基づいて、スロット内周波数ホッピングについて検討（consideration）するまたは検討しないチャネルフォーマット６００、６０２、または６０４を使用するかどうかを決定することを含み得る。
【００６１】
[0070]  ブロック４０６において、スロットのアップリンクチャネル持続期間の開始シンボルおよび終了シンボルが決定され得る。一態様では、チャネル持続期間コンポーネント３４４は、例えば、プロセッサ３０５、メモリ３０２、トランシーバ３７０、および／または通信コンポーネント３４０に関連して、スロットのアップリンクチャネル持続期間の開始シンボルおよび終了シンボルを決定し得る。例えば、基地局１０５は、リソース許可中でＵＥ１１５にアップリンクチャネル持続期間を割り振り得、ここで、リソース許可は、アップリンク通信のためのスロット、並びに、アップリンク通信のための、終了シンボル（または終了シンボルが導出され得る持続期間、および／または同様のもの）およびスロット中の開始シンボルを示し得る。例えば、アップリンクチャネル持続期間は、説明されるように、（例えば、４〜１４の範囲内で）スロット中のいくつかの（a number of）シンボルの持続期間を有する、アップリンクロングバーストに対応し得る。基地局１０５は、ＵＥ１１５との通信の信号品質、基地局１０５によってサポートされるいくつかのＵＥ１１５、ＵＥ１１５からのバッファステータスレポートなどの様々な要因に基づいて、アップリンクチャネル持続期間を構成し得る。
【００６２】
[0071]  一例では、上述されるような様々なスロット構成が５Ｇにおいて可能である。図７Ａおよび図７Ｂは、５Ｇまたは他のワイヤレス通信技術で使用され得るスロット構成７００、７０２、７０４、７０６の例を描いている。例えば、スロット構成７００は、ＰＤＣＣＨシンボル７１０およびアップリンクショートバースト（ＵＬＳＢ）シンボル７１２を含み得、シンボル７１４のＰＤＳＣＨ領域が間にある（with a PDSCH region of symbols 714 in between）。加えて、スロット構成７００においてダウンリンク通信およびアップリンク通信間での切り替えのための時間を可能にする（allow）ために、シンボルのＰＤＳＣＨ領域７１４とＵＬＳＢシンボル７１２との間に、ブランクシンボルまたは時間の他の期間が含まれ得る。別の例では、スロット構成７０２は、シンボルのＵＬロングバースト領域７１６が間にある、ＵＬＳＢ７１４とＰＤＣＣＨシンボル７１０とを含む。この例では、ブランクシンボルまたは時間の他の期間は、シンボルのＵＬロングバースト領域７１６とＰＤＣＣＨ７１０との間に含まれ得る。いずれの例でも、シンボルのＰＤＳＣＨ領域７１４またはシンボルのＵＬロングバースト領域は、１４個のシンボルのスロット中の最大１１個のシンボルのような、いくつかのシンボルを含み得る。
【００６３】
[0072]  加えて、一例では、スロット構成７０４、７０６は、複数の（multiple）スロット中のシンボルを組み合わせることによって、それぞれ、ＵＬＳＢシンボルおよび／またはＰＤＣＣＨシンボル（および／またはアップリンク通信への／からの関連付けされた交換（switching））に関連付けられたオーバーヘッドを低減するために使用され得る。これらの例では、スロット構成７０４は、シンボルのＰＤＳＣＨ領域７１４とＰＤＣＣＨ７１０とに続いて、単一のＵＬＳＢシンボル７１２の前のシンボルの別のＰＤＳＣＨ領域７２４と別のＰＤＣＣＨ７２０とを含み得る。同様に、スロット構成７０６では、単一のＰＤＣＣＨシンボル７１０が含まれており、シンボルのＵＬロングバースト領域７１６、ＵＬＳＢ７１２、シンボルの別のＵＬロングバースト領域７２６、および別のＵＬＳＢ７２２が続く。スロット構成７０４は、ＵＬＳＢの発生を減少させるために、スロットをアグリゲートすることによって、２つのスロット上でいくつかのダウンリンクシンボルを増加させることを可能にし得る。スロット構成７０６は、ＰＤＣＣＨの発生を減少させるために、スロットをアグリゲートすることによって、２つのスロット上で（over）いくつかのアップリンクシンボルを増加させることを可能にし得る。よって、スロット構成７０６を使用するとき、例えば、１つまたは複数の他のアップリンクロングバーストスロットのうちの少なくとも１つがＰＤＣＣＨおよび／またはＵＬＳＢを含む該スロット（the slots）とアグリゲートされるときに１４個のシンボルのアップリンクロングバーストが（例えば、第２のスロット中で）起こり得る（a 14 symbol uplink long burst may be possible (e.g., in the second slot) when aggregated with one or more other uplink long burst slots where at least one of the slots includes PDCCH and/or ULSB.）。いずれの場合にも、スロット（the slot）中でアップリンク通信を送信する際に使用するための決定されたフォーマットの一部分を決定する際に、（例えば、基地局１０５から受信された、またはそうでなければＵＥ１１５のメモリ３０２に記憶されたスロット構成に基づいて）スロット（the slot）中のアップリンクチャネルの持続期間が決定され得、使用され得る。
【００６４】
[0073]  ブロック４０８において、アップリンク通信を送信する際に利用するための（to）チャネルフォーマットの一部分は、開始シンボルおよび終了シンボルに少なくとも部分的に基づいて決定され得る。一態様では、チャネルフォーマットコンポーネント３４２は、例えば、プロセッサ３０５、メモリ３０２、トランシーバ３７０、および／または通信コンポーネント３４０に関連して、開始シンボルおよび終了シンボルに少なくとも部分的に基づいて、アップリンク通信を送信する際に利用するためのチャネルフォーマットの一部分を決定し得る。例えば、チャネルフォーマット６００、６０２、または６０４を考慮して（given）、そのフォーマットの一部分は、アップリンクチャネル持続期間のために基地局１０５によって指示される開始シンボルおよび終了シンボルに対応するシンボルとして決定され得る。
【００６５】
[0074]  アップリンクロングバースト割り振り８００、８０２、８０４と、固定されたＤＭ−ＲＳパターンおよび／またはホッピング位置を含む対応するチャネルフォーマット（例えば、チャネルフォーマット６０２に類似する）とを図示する例が、図８に示されており、ＤＭ−ＲＳが固定シンボルに指定され、他のデータ（例えば、ＰＵＣＣＨ通信に関する）が他のシンボルに指定される。例えば、チャネルフォーマットは、チャネル持続期間に関して適切である場合（where）、チャネルフォーマット上の各アップリンクロングバースト割り振り８００、８０２、８０４が少なくとも１つのＤＭ−ＲＳシンボルおよびホッピング位置を含み得るように構成される。
【００６６】
[0075]  例えば、図６を参照すると、アップリンクチャネル持続期間が開始シンボル２から終了シンボル６であると決定された場合、（例えば、アップリンクデータのペイロードサイズに基づいて）チャネルフォーマット６００が選択され、スロット内ホッピングが構成され、アップリンク通信を送信するために使用されるべきチャネルフォーマット６００の一部分６１６をチャネルフォーマットコンポーネント３４２が決定し得る。これに対応して（Correspondingly）、例えば、チャネルフォーマットコンポーネント３４２はまた、マルチシンボル多重化（またはシンボルごとの多重化ためのＣｈｕ／ＣＧＳ）のために、ＤＭ−ＲＳシンボルのためのアダマール２とデータシンボルのためのＤＦＴ３とを使用するためにも決定し得る。別の例では、アップリンクチャネル持続期間が開始シンボル３から終了シンボル１２である場合、チャネルフォーマット６００が選択され、スロット内ホッピングが構成され、アップリンク通信を送信するために使用されるべきチャネルフォーマット６００の一部分６１８をチャネルフォーマットコンポーネント３４２が決定し得る。さらに別の例では、アップリンクチャネル持続期間が開始シンボル０から終了シンボル１３である場合、チャネルフォーマット６００が選択され、スロット内ホッピングが構成されず、チャネルフォーマットコンポーネント３４２は、アップリンク通信を送信するために使用されるべきチャネルフォーマット６００のスロットの全体の部分６１４を決定し得る。これに対応して、例えば、チャネルフォーマットコンポーネント３４２はまた、ＤＭ−ＲＳシンボルのためのＤＦＴ３およびマルチシンボル多重化（またはシンボルごとの多重化のためのＣｈｕ／ＣＧＳ）に関するデータシンボルのためのアダマール４コードを使用するためにも決定し得る。
【００６７】
[0076]  別の例では、アップリンクチャネル持続期間が開始シンボル２から終了シンボル６である場合、（例えば、アップリンクデータのペイロードサイズに基づいて）チャネルフォーマット６０２が選択され、スロット内ホッピングが構成され、チャネルフォーマットコンポーネント３４２がアップリンク通信を送信するために使用されるべきチャネルフォーマット６０２の一部分６２６を決定し得る。別の例では、アップリンクチャネル持続期間が開始シンボル３から終了シンボル１２である場合、チャネルフォーマット６０２が選択され、スロット内ホッピングが構成され、チャネルフォーマットコンポーネント３４２は、アップリンク通信を送信するために使用されるべきチャネルフォーマット６０２の一部分６２８を決定し得る。さらに別の例では、アップリンクチャネル持続期間が開始シンボル０から終了シンボル１３である場合、チャネルフォーマット６０２が選択され、スロット内ホッピングは構成されず、チャネルフォーマットコンポーネント３４２は、アップリンク通信を送信するために使用されるべきチャネルフォーマット６０２のスロットの全体の部分６２４を決定し得る。
【００６８】
[0077]  別の例では、アップリンクチャネル持続期間が開始シンボル２から終了シンボル６である場合、（例えば、アップリンクデータのペイロードサイズに基づいて）チャネルフォーマット６０４が選択され、スロット内ホッピングが構成され、チャネルフォーマットコンポーネント３４２がアップリンク通信を送信するために使用されるべきチャネルフォーマット６０４の一部分６３６を決定し得る。別の例では、アップリンクチャネル持続期間が開始シンボル３から終了シンボル１２である場合、チャネルフォーマット６０４が選択され、スロット内ホッピングが構成され、チャネルフォーマットコンポーネント３４２は、アップリンク通信を送信するために使用されるべきチャネルフォーマット６０４の一部分６３８を決定し得る。さらに別の例では、アップリンクチャネル持続期間が開始シンボル０から終了シンボル１３である場合、チャネルフォーマット６０４が選択され、スロット内ホッピングが構成されず、チャネルフォーマットコンポーネント３４２は、アップリンク通信を送信するために使用されるべきチャネルフォーマット６０４のスロットの全体の部分６３４を決定し得る。
【００６９】
[0078]  一例では、ブロック４０２においてチャネルフォーマットを決定することは、代わりに、ブロック４０８においてチャネルフォーマットの一部分を決定した後に（および／またはブロック４０６中で開始シンボルおよび終了シンボルを決定した後に）発生（または、決定する前に加えて、後にも発生）し得る。例えば、ブロック４０２においてチャネルフォーマットを決定することはまた、アップリンクチャネル持続期間の開始シンボルおよび終了シンボルに基づいて使用するためのチャネルフォーマットの一部分を決定することに基づき得る。一例では、チャネルフォーマットコンポーネント３４２は、アップリンクチャネル持続期間に対応するチャネルフォーマットの一部分が少なくとも１つのＤＭ−ＲＳシンボルを含むことを保証するようにチャネルフォーマットを決定し得る。例えば、ペイロードサイズが大きい（例えば、ｙよりも大きい）場合、チャネルフォーマット６０４が決定され、アップリンクチャネル持続期間がシンボル４から９であると識別される（is specified）場合、チャネルフォーマット６０４の対応する部分中にＤＭ−ＲＳシンボルは存在しない可能性がある（may not）。従って、この例では、チャネルフォーマットコンポーネント３４２は、識別されたアップリンクチャネル持続期間に基づいて、チャネルフォーマット６０２などのデータシンボル比に対してより高いＤＭ−ＲＳを有する別のチャネルフォーマットを代わりに使用する（例えば、フォールバック）と決定し得る。
【００７０】
[0079]  オプションで、ブロック４１０において、ユーザ多重化方式、拡散率、または直交カバーセットは、チャネルフォーマットに基づいて決定され得る。一態様では、チャネルフォーマットコンポーネント３４２は、例えば、プロセッサ３０５、メモリ３０２、および／またはトランシーバ３７０に関連して、上述されるようなチャネルフォーマットに基づいて、ユーザ多重化方式、拡散率、または直交カバーセットを決定する。一例では、チャネルフォーマットコンポーネント３４２は、アップリンク通信を送信するために選択されたチャネルフォーマットの一部分に基づいて、ユーザ多重化方式、拡散率、または直交カバーセットをさらに決定し得る。例えば、チャネルフォーマットコンポーネント３４２は、チャネルフォーマットおよび／またはチャネルフォーマットの決定された部分に基づいて、シンボルごとの多重化を使用するか、またはマルチシンボル多重化を使用するかを（whether）決定し得る。例えば、チャネルフォーマットコンポーネント３４２は、シンボルごとの多重化のために異なるサイクリックシフトを用いてＣｈｕシーケンスを使用するかまたはＣＧＳシーケンスを使用するか、（例えば、チャネルフォーマット６００に関して）マルチシンボル多重化するためのある特定のシンボルに対してＤＦＴ３コードおよび／またはアダマールコードを使用するか、および／または同様のものを使用するかを（whether）決定し得る。一例では、上述されるように、チャネルフォーマットコンポーネント３４２は、（例えば、制御専用シグナリング、ＲＲＣ、または他の上位レイヤシグナリングなどにおいて）基地局１０５から多重化方式、拡散率、または直交カバーセット（または関連するパラメータ）を受信し得、および／または他の構成されたまたは指示されたパラメータに基づいて、多重化方式、拡散率、または直交カバーセット（または関連するパラメータ）を暗黙的に導出し得る。
【００７１】
[0080]  ブロック４１２において、アップリンク通信は、チャネルフォーマットの一部分に基づいて、スロット中で送信され得る。一態様では、通信コンポーネント３４０は、例えば、プロセッサ３０５、メモリ３０２、および／またはトランシーバ３７０に関連して、チャネルフォーマットの一部分に基づいてスロット中でアップリンク通信を送信し得る。例えば、通信コンポーネント３４０は、（例えば、１つまたは複数のスロットにおいて）指定されたシンボル中でＤＭ−ＲＳを、および（例えば、１つまたは複数のスロットの）他のシンボル中で対応するデータを送信するために、チャネルフォーマットの一部分に従ってアップリンク通信を送信し得る。例えば、これは、アップリンク通信およびＤＭ−ＲＳを（例えば、少なくとも時間領域中で）多重化することを含み得る。例えば、構成される場合（where configured）、通信コンポーネント３４０がアップリンク通信を送信する際に（in）シンボルごとの（per symbol）多重化方式またはマルチシンボル多重化方式を使用することができ、チャネルフォーマットの一部分に従って、構成されるスロット内ホッピングを行う（perform intra-slot hopping where configured, etc.）ことができる。
【００７２】
[0081]  一例では、通信コンポーネント３４０は、アップリンクデータのコンテンツに基づいて、異なるパフォーマンスターゲットを用いて異なるアップリンク通信を送信し得る（例えば、ＵＥ１１５は、チャネル品質インジケータ（ＣＱＩ）よりも高いパフォーマンスターゲットを用いて確認応答（ＡＣＫ）を送信し得る）。この例では、異なるアップリンク通信は、ＴＤＭを使用して別個に符号化および送信され得る。この例では、異なるアップリンクロングバースト（例えば、異なるアップリンクチャネル持続期間）は、パフォーマンスターゲットを制御するように構成され得る。よって、一例では、基地局１０５は、（例えば、同じまたは異なるスロットに関して）ＵＥ１１５に複数のアップリンクチャネル持続期間割り振りを提供し得、通信コンポーネント３４０は、望ましいパフォーマンスターゲットを獲得する（achieve）ためにアップリンクチャネル持続期間（および対応するチャネルフォーマットまたはフォーマットの一部分）を選択し得る。
【００７３】
[0082]  加えて、一例では、ＵＥ１１５は、異なるアップリンクチャネル持続期間を使用し得、それは、基地局１０５へのＵＥの距離、基地局１０５を用いて（with）決定されたチャネル品質などのような、ＵＥ１１５に関連する少なくとも１つの他のパラメータに基づいて割り振られ得る。この例では、シンボルごとの多重化が有効化された場合、異なるアップリンクチャネル持続期間を有するＵＥは、ＵＥが異なる受信電力を有し得るため（because）、チャネル割り振りにおいてオーバーラップしない可能性がある。
【００７４】
[0083]  また、特定の例では、チャネルフォーマットおよび／または多重化方式は、（例えば、ペイロードサイズに加えてまたはその代替として）ＵＥ１１５におけるドップラモードに基づいて選択され得る。例えば、チャネルフォーマットコンポーネント３４２は、ＵＥ１１５において（例えば、１つまたは複数の関連するパラメータを１つまたは複数の閾値と比較することを含み得る、低いまたは高いドップラのような）ドップラモードを決定し得、そのドップラモードに基づいて、チャネルフォーマットおよび／または多重化方式を決定し得、ここで、チャネルフォーマットおよび関連する多重化方式は、異なるドップラモードについて異なり得る（can）。例えば、ＵＥ１１５が高いドップラモードにあり、かつペイロードサイズがｙビットよりも大きいことをチャネルフォーマットコンポーネント３４２が決定する場合、チャネルフォーマットコンポーネント３４２は、チャネルフォーマット６０２を使用することを決定し得るが、チャネルフォーマット６０４（例えば、多重化しているまたは多重化していないシンボルごとのプレＤＦＴ拡散）を参照して説明された多重化方式を用いる。別の例では、ＵＥ１１５が低いドップラモードにあり、かつペイロードサイズがｙビットよりも大きいことをチャネルフォーマットコンポーネント３４２が決定する場合、チャネルフォーマットコンポーネント３４２は、チャネルフォーマット６０４および上述された関連する多重化方式を使用することを決定し得る。さらに、一例では、チャネルフォーマットコンポーネント３４２は、決定されたドップラモードに基づいて、スロット内ホッピングを有効化または無効化し得る（およびスロット内ホッピングを行うまたは行わない、チャネルフォーマットまたはその一部分を適宜選択し得る）。
【００７５】
[0084]  図５は、ＵＥのためのアップリンク通信を（例えば、基地局によって）構成するための方法５００の例のフローチャートを図示する。方法５００では、破線のボックスで示されているブロックは、任意のステップを表し得る。
【００７６】
[0085]  方法５００では、ブロック５０２において、アップリンクチャネル持続期間の開始シンボルおよび終了シンボルが指示され（be indicated）得る。一態様では、チャネル持続期間コンポーネント２４２は、例えば、プロセッサ２０５、メモリ２０２、トランシーバ２７０、および／またはスケジューリングコンポーネント２４０に関連して、アップリンクチャネル持続期間の開始シンボルおよび終了シンボルを指示し得る。例えば、チャネル持続期間コンポーネント２４２は、所与のスロットのためのアップリンクロングバースト持続期間を示し得、それは、スロット中のいくつかの連続するシンボル（例えば、説明されるような４から１４個のシンボル）を含み得る。チャネル持続期間コンポーネント２４２は、ＲＲＣシグナリングなどのような、より上位の（higher）レイヤシグナリング中のブロードキャストシグナリングにおいて、専用の制御チャネル（例えば、ＰＤＣＣＨ）においてＵＥ１１５にシグナリングされたアップリンクリソース許可中の開始シンボルおよび／または終了シンボル（または開始シンボルからの対応する持続期間）を指定し（specify）得る。上述されるように、基地局１０５とＵＥ１１５との間の通信で使用されるスロット構造は、大きい（large）アップリンク部分またはバースト（例えば、スロット構造７０２、７０６内（in）など）を含み得る。チャネル持続期間コンポーネント２４２は、１つまたは複数のＵＥ１１５との通信を促進するために、１つまたは複数のＵＥ１１５にスロット構造を適宜示し得る。
【００７７】
[0086]  一例では、スケジューリングコンポーネント２４０は、説明されるような異なるパフォーマンスターゲットを達成するために、異なるアップリンクチャネル持続期間をスケジューリングし得る（例えば、チャネル品質インジケータ（ＣＱＩ）よりも高いパフォーマンスターゲットを有する確認応答（ＡＣＫ）を送信する）。この例では、スケジューリングコンポーネント２４０は、ＵＥ１１５によって送信されるべきデータ、スロット構造中のアップリンクチャネルに関連付けられるべきデータなどに基づいて、異なるアップリンクチャネル持続期間を含むように、１つまたは複数のＵＥ１１５のためのリソース許可またはスロット構造を示し得る。加えて、一例では、スケジューリングコンポーネント２４０は、ＵＥ１１５に対応する１つまたは複数のパラメータおよび／またはそれらとの（therewith）通信に基づいて、異なるアップリンクチャネル持続期間を有する（with）ＵＥ１１５をスケジューリングし得る。例えば、スケジューリングコンポーネント２４０は、基地局１０５までの（to）ＵＥの距離、基地局１０５との決定されたチャネル品質などに基づいて、ＵＥ１１５をスケジューリングし得る。
【００７８】
[0087]  一例では、アップリンクチャネル持続期間の開始シンボルおよび終了シンボルを示す際に（in）、スケジューリングコンポーネント２４０は、同じスロット中のアップリンクチャネル持続期間を有する複数のＵＥ１１５を割り当て得る。よって、例えば、チャネル持続期間コンポーネント２４２は、複数のＵＥ１１５の各々に開始シンボルおよび終了シンボル（または対応する持続期間）を示し得る。例えば、アップリンクチャネル持続期間は、連続的であり、時間領域においてオーバーラップするなどし得る。この例では、複数のＵＥ１１５からの通信が多重化され、かつ同じシンボルにおいて基地局１０５によって受信され得るように、シンボルごとの多重化が有効化される場合、異なるアップリンクチャネル持続期間を有するＵＥ１１５は、異なる受信電力のため（because of）、チャネル割り振りにおいてオーバーラップしない可能性がある（may not）。言い換えると、基地局１０５は、信号の受信電力に基づいて、同じシンボル中で受信された信号を区別する（differentiate）ことができ得る。よって、例えば、スケジューリングコンポーネント２４０は、同じスロット中で基地局１０５への可変の距離（varying distances）を有するＵＥをスケジューリングし得る（can）。これに関して、例えば、スケジューリングコンポーネント２４０は、比較可能な受信電力を有するＵＥの間の直交性（orthogonality）を提供するために、ＵＥのためのアップリンクチャネル持続期間をスケジューリングし得る。
【００７９】
[0088]  方法５００では、ブロック５０４において、アップリンクチャネル持続期間中にアップリンクチャネル上で通信を受信するためのチャネルフォーマットが決定され得、ここで、チャネルフォーマットは、少なくともペイロードサイズに基づいている。一態様では、チャネルフォーマットコンポーネント２４４は、例えば、プロセッサ２０５、メモリ２０２、トランシーバ２７０、および／またはスケジューリングコンポーネント２４０に関連して、アップリンクチャネル持続期間中のアップリンクチャネル上の通信を受信するためにチャネルフォーマットを決定し得、ここで、チャネルフォーマットは、少なくともペイロードサイズに基づき得る。例えば、チャネルフォーマットコンポーネント２４４は、アップリンク通信のペイロードサイズに基づいて、複数のチャネルフォーマット（例えば、チャネルフォーマット６００、６０２、６０４）のうちの１つからチャネルフォーマットを選択し得る。一例では、チャネルフォーマットコンポーネント２４４は、ＵＥ１１５からバッファステータスレポートまたは他のインジケーションを受信することに基づいて、ペイロードサイズを決定し得る。別の例では、ＵＥ１１５は、ペイロードサイズに基づいてチャネルフォーマットを選択し得、（例えば、アップリンクショートバーストなどのアップリンク制御チャネルシグナリング上で）基地局１０５にその選択を通知し得る。この例では、基地局１０５は、ＵＥ１１５からの通知を受信することに少なくとも部分的に基づいて、チャネルフォーマットを決定し得る。
【００８０】
[0089]  方法５００では、ブロック５０６において、アップリンク通信は、チャネルフォーマットに従って、およびアップリンクチャネル持続期間中のアップリンクチャネル上で受信され得る。一態様では、スケジューリングコンポーネント２４０は、例えば、プロセッサ２０５、メモリ２０２、および／またはトランシーバ２７０に関連して、アップリンクチャネル持続期間中にアップリンクチャネル上で、およびチャネルフォーマットに従って、アップリンク通信を受信し得る。例えば、説明されるように、ＵＥ１１５は、選択されたチャネルフォーマットに基づいて（ブロック５０２において示された開始シンボルおよび終了シンボルに基づいて）割り振られたチャネル持続期間中にアップリンク通信を送信し得る。基地局１０５は、選択されたチャネルフォーマットおよび示されたチャネル持続期間を知っている（knowing）アップリンク通信を受信し得る。
【００８１】
[0090]  方法５００では、オプションで、ブロック５０８において、アップリンクデータは、ＤＭ−ＲＳに基づいて復号され得る。一態様では、スケジューリングコンポーネント２４０は、例えば、プロセッサ２０５、メモリ２０２、および／またはトランシーバ２７０に関連して、ＤＭ−ＲＳに基づいてアップリンクデータを復号し得る。例えば、基地局１０５は、決定されたチャネルフォーマットに基づいてシンボル中でＤＭ−ＲＳを受信し得、アップリンクチャネル持続期間中の残りのシンボルにおいてデータを復号するためにＤＭ−ＲＳを使用し得る。例えば、基地局１０５は、受信されたＤＭ−ＲＳに関連するシンボル上でアップリンクチャネルのチャネル推定を行うためにＤＭ−ＲＳを使用し得る。
【００８２】
[0091]  図９は、基地局１０５およびＵＥ１１５を含むＭＩＭＯ通信システム９００のブロックである。ＭＩＭＯ通信システム９００は、図１に関連して説明されたワイヤレス通信システム１００の態様を図示し得る。基地局１０５は、図１〜図３を参照して説明された基地局１０５の態様の例であり得る。基地局１０５は、アンテナ９３４〜９３５を装備し得、ＵＥ１１５は、アンテナ９５２〜９５３を装備し得る。ＭＩＭＯ通信システム９００では、基地局１０５は、データを複数の通信リンクを通して同時に送ることが可能であり得る。各通信リンクは、「レイヤ」と呼ばれ、通信リンクの「ランク」は、通信のために使用されるレイヤの数を示し得る。例えば、基地局１０５が２つの「レイヤ」を送信する２×２ＭＩＭＯ通信システムでは、基地局１０５とＵＥ１１５との間の通信リンクのランクは、２である。
【００８３】
[0092]  基地局１０５において、送信（Ｔｘ）プロセッサ９２０は、データソースからデータを受信し得る。送信プロセッサ９２０は、データを処理し得る。送信プロセッサ９２０はまた、制御シンボルまたは基準シンボルを生成し得る。送信ＭＩＭＯプロセッサ９３０は、適用可能な場合、データシンボル、制御シンボルまたは基準シンボルに対して（on）空間処理（例えば、プリコーディング）を行い得、送信変調器／復調器９３２および９３３に出力シンボルストリームを提供し得る。各変調器／復調器９３２〜９３３は、出力サンプルストリームを取得する（obtain）ために（例えば、ＯＦＤＭなどの）それぞれの出力シンボルストリームを処理し得る。各変調器／復調器９３２〜９３３はさらに、ＤＬ信号を取得するために、出力サンプルストリームを処理（例えば、アナログに変換、増幅、フィルタ、およびアップコンバート）し得る。一例では、変調器／復調器９３２および９３３からのＤＬ信号は、それぞれ、アンテナ９３４および９３５を介して送信され得る。
【００８４】
[0093]  ＵＥ１１５は、図１〜図３を参照して説明されたＵＥ１１５の態様の例であり得る。ＵＥ１１５において、ＵＥアンテナ９５２および９５３は、基地局１０５からのＤＬ信号を受信し得、その受信された信号を、それぞれ、変調器／復調器９５４および９５５に提供し得る。各変調器／復調器９５４〜９５５は、入力サンプルを取得するために、それぞれの受信信号を調整（例えば、フィルタ、増幅、ダウンコンバート、およびデジタル化）し得る。各変調器／復調器９５４〜９５５はさらに、受信シンボル（received symbols）を取得するために、（例えば、ＯＦＤＭなどの）入力サンプルを処理し得る。ＭＩＭＯ検出器９５６は、復調器９５４および９５５から受信シンボルを取得し、適用可能な場合、それら受信シンボルに対してＭＩＭＯ検出を行い、検出されたシンボルを提供し得る。受信（Ｒｘ）プロセッサ９５８は、検出されたシンボルを処理（例えば、復調、デインタリーブ、復号）し、データ出力にＵＥ１１５のための復号されたデータを提供し、プロセッサ９８０またはメモリ９８２に復号された制御情報を提供し得る。
【００８５】
[0094]  プロセッサ９８０は、いくつかのケースでは、通信コンポーネント３４０（例えば、図１および図３を参照）を示す（instantiate）ための記憶された命令を実行し得る。
【００８６】
[0095]  アップリンク（ＵＬ）上では、ＵＥ１１５において送信プロセッサ９６４は、データソースからデータを受信および処理し得る。送信プロセッサ９６４はまた、基準信号のための基準シンボルを生成し得る。送信プロセッサ９６４からのシンボルは、適用可能な場合（if applicable）、送信ＭＩＭＯプロセッサ９６６によってプリコーディングされ、（例えば、ＳＣ−ＦＤＭＡなどのために）変調器／復調器９５４および９５５によってさらに処理され、基地局１０５から受信された通信パラメータに従って基地局１０５に送信され得る。基地局１０５において、ＵＥ１１５からのＵＬ信号が、アンテナ９３４および９３５によって受信され得、変調器／復調器９３２および９３３によって処理され得、適用可能な場合、ＭＩＭＯ検出器９３６によって検出され得、受信プロセッサ９３８によってさらに処理され得る。受信プロセッサ９３８は、復号されたデータをデータ出力とプロセッサ９４０またはメモリ９４２とに提供し得る。
【００８７】
[0096]  プロセッサ９４０は、いくつかのケースでは、スケジューリングコンポーネント２４０（例えば、図１および図２を参照）を示すための記憶された命令を実行し得る。
【００８８】
[0097]  ＵＥ１１５のコンポーネントは、個別にまたは集合的に、ハードウェアで適用可能な機能のいくつかまたは全てを行うために適合された、１つまたは複数のＡＳＩＣを用いて実装され得る。記載されたモジュールの各々は、ＭＩＭＯ通信システム９００の動作に関連する１つまたは複数の機能を行うための手段であり得る。同様に、基地局１０５のコンポーネントは、個々にまたは集合的に、ハードウェア中で適用可能な機能のうちのいくつかまたは全てを行うように適合された１つまたは複数のＡＳＩＣを用いて実装され得る。記載されたコンポーネントの各々は、ＭＩＭＯ通信システム９００の動作に関連する１つまたは複数の機能を行うための手段であり得る。
【００８９】
[0098]  添付の図面に関して上述された詳細な説明は、例を説明しており、実装され得るまたは請求項の範囲内にある例のみを表すものではない。この説明で使用されるとき、「例」という用語は、「例、事例、または例示としての役割を果たす」ことを意味し、「より好ましい」または「他の例よりも有利である」ことを意味しない。詳細な説明は、説明される技法の理解を提供する目的で、特定の詳細を含む。しかしながら、これらの技法は、これらの特定の詳細がなくとも実施され得る。いくつかの事例では、周知の構造および装置は、説明された例の概念を曖昧にするのを避けるために、ブロック図形式で示されている。
【００９０】
[0099]  情報および信号は、様々な異なる技術および技法のうちの任意のものを用いて表わされ得る。例えば、上の説明を通して言及され得るデータ、命令、コマンド、情報、信号、ビット、シンボル、およびチップは、電圧、電流、電磁波、磁場または磁性粒子、光場または光粒子、コンピュータ可読媒体上に記憶されたコンピュータ実行可能なコードまたは命令、あるいはそれらの任意の組み合わせによっても表され得る。
【００９１】
[00100]  本明細書で本開示に関連して説明された様々な例示的なブロックおよびコンポーネントは、限定はされないが、例えば、本明細書で説明された機能を行うように設計された、プロセッサ、デジタルシグナルプロセッサ（ＤＳＰ）、ＡＳＩＣ、ＦＰＧＡまたは他のプログラマブル論理デバイス、ディスクリートゲートまたはトランジスタ論理、ディスクリートハードウェアコンポーネント、またはそれらの任意の組み合わせなどの特別にプログラムされたデバイスを用いて実装または行われ得る。特別にプログラムされたプロセッサ（A specially-programmed processor）はマイクロプロセッサであり得るが、代替として、プロセッサは、任意の従来のプロセッサ、コントローラ、マイクロコントローラ、または状態マシンであり得る。特別にプログラムされたプロセッサはまた、コンピューティングデバイスの組み合わせ、例えば、ＤＳＰとマイクロプロセッサとの組み合わせ、複数のマイクロプロセッサ、ＤＳＰコアと連携した１つまたは複数のマイクロプロセッサ、または任意の他のそのような構成としても実装され得る。
【００９２】
[00101]  本明細書で説明される機能は、ハードウェア、プロセッサによって実行されるソフトウェア、ファームウェア、またはそれらの任意の組み合わせにおいて実装され得る。プロセッサによって実行されるソフトウェアで実装される場合、それら機能は、非一時的なコンピュータ可読媒体上の１つまたは複数の命令またはコードとして記憶または送信され得る。他の例および実装は、本開示および添付の請求項の精神および範囲内にある。例えば、ソフトウェアの性質により、上記で説明された機能は、特別にプログラムされたプロセッサ、ハードウェア、ファームウェア、ハードワイヤリング、またはこれらの任意のものの組み合わせによって実行されるソフトウェアを使用して実装され得る。機能を実装する特徴はまた、機能の部分が、異なる物理的ロケーションで実装されるように分散されることを含む、様々な場所（positions）に物理的に位置付けられ得る。また、本明細書で使用されるように、請求項を含む、「のうちの少なくとも１つ」で始まる項目のリストにおいて使用される「または」は、例えば「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するよう選言的なリスト（disjunctive list）を示す。
【００９３】
[00102]コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭ、または他の光ディスクストレージ、磁気ディスクストレージまたは他の磁気ストレージデバイス、あるいは命令またはデータ構造の形態で所望のプログラムコード手段を搬送または記憶するために使用され得、汎用または専用コンピュータ、あるいは汎用または専用プロセッサによってアクセスされ得る、任意の他の媒体を備え得る。また、いかなる接続もコンピュータ可読媒体と適切に呼ばれる。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびＢｌｕ−ｒａｙ（登録商標）ディスクを含み、ディスク（disk）は、通常、データを磁気的に再生し、ディスク（disc）は、データをレーザで光学的に再生する。上記の組み合わせはまた、コンピュータ可読媒体の範囲内に含まれる。
【００９４】
[00103]本開示の前述の説明は、いかなる当業者でも本開示を作成または使用することができるように提供される。本開示への様々な修正は当業者には容易に明らかであり、本明細書で定義した一般原理は、本開示の趣旨または範囲から逸脱することなく他の変形に適用できる。さらに、説明された態様および／または実施形態の要素は、単数形で説明または特許請求され得るが、単数形への限定が明示的に述べられていない限り、複数形が考慮される。さらに、任意の態様および／または実施形態の全部または一部分は、別段の規定がない限り、任意の他の態様および／または実施形態の全部または一部分とともに利用され得る。よって、本開示は、本明細書で説明される例および設計に限定されるものではなく、本明細書で開示する原理および新規の特徴に合致する最も広い範囲を与えられるべきである。
【図１】
2020519123.tif 000003
【図２】
2020519123.tif 000004
【図３】
2020519123.tif 000005
【図４】
2020519123.tif 000006
【図５】
2020519123.tif 000007
【図６】
2020519123.tif 000008
【図７Ａ】
2020519123.tif 000009
【図７Ｂ】
2020519123.tif 000010
【図８】
2020519123.tif 000011
【図９】
2020519123.tif 000012
【国際調査報告】
2020519123.tif 000013
2020519123.tif 000014
2020519123.tif 000015